(57)【要約】ドキュメントのセクションのコンテンツ、の少なくとも一部分、が表示されていることを判定することと、少なくとも１つのキャラクタアイデンティティを判別することと、当該セクションによって示されている少なくとも１つの場所アイデンティティを判別することと、当該場所アイデンティティの少なくとも１つの視覚表現が当該キャラクタアイデンティティと当該場所アイデンティティとの間の関係を示す当該キャラクタアイデンティティの視覚表現を含むように当該場所アイデンティティの少なくとも１つの視覚表現を決定することと、を含む方法が開示される。【選択図】図７
2016536660.tif 000002
【特許請求の範囲】
【請求項１】
少なくとも１つのプロセッサと、コンピュータプログラムコードを含む少なくとも１つのメモリとを備えた装置であって、前記メモリと前記コンピュータプログラムコードとは、前記プロセッサと協働して、少なくとも、
ドキュメントのセクションのコンテンツ、の少なくとも一部分、が表示されていることを判定することと、
前記セクションのコンテンツに関連する少なくとも１つのキャラクタアイデンティティを判別することと、
前記セクションによって示されている少なくとも１つの場所アイデンティティであって、前記キャラクタアイデンティティによって示されているキャラクタの場所を示す場所アイデンティティを判別することと、
前記場所アイデンティティの少なくとも１つの視覚表現が前記キャラクタアイデンティティと前記場所アイデンティティとの間の関係を示す前記キャラクタアイデンティティの視覚表現を含むように、前記場所アイデンティティの少なくとも１つの前記視覚表現を決定することと、
を前記装置に行わせるように構成される、
装置。
【請求項２】
前記メモリは、前記プロセッサと協働して、
前記場所アイデンティティの前記視覚表現の表示を引き起こすことと、
ドキュメント閲覧入力を示す情報を受信することと、
を前記装置に行わせるように構成されたコンピュータプログラムコードを含み、前記場所アイデンティティの前記視覚表現の表示の前記引き起こしは前記ドキュメント閲覧入力に、少なくとも部分的に、基づく、請求項１に記載の装置。
【請求項３】
前記メモリは、前記プロセッサと協働して、
前記セクションのコンテンツに関連する少なくとも１つの他のキャラクタアイデンティティであって、前記キャラクタアイデンティティとは異なるキャラクタアイデンティティを判別することと、
前記セクションによって示されている少なくとも１つの他の場所アイデンティティであって、前記キャラクタアイデンティティによって示されているキャラクタの場所を示す場所アイデンティティを判別することと、
を前記装置に行わせるように構成されたコンピュータプログラムコードを含み、前記他の場所アイデンティティの視覚表現が前記他のキャラクタアイデンティティと前記他の場所アイデンティティとの間の関係を示す前記他のキャラクタアイデンティティの視覚表現を含むように、前記場所アイデンティティの前記視覚表現は前記他の場所アイデンティティの前記視覚表現を含む、請求項１に記載の装置。
【請求項４】
前記メモリは、前記プロセッサと協働して、
前記ドキュメントの異なるセクション、の少なくとも一部分、が表示されていることを判定することと、
前記異なるセクションのコンテンツに関連する少なくとも１つの他のキャラクタアイデンティティを判別することと、
前記異なるセクションによって示されている少なくとも１つの他の場所アイデンティティであって、前記他のキャラクタアイデンティティによって示されているキャラクタの場所を示す場所アイデンティティを判別することと、
前記他の場所アイデンティティの少なくとも１つの視覚表現が前記他のキャラクタアイデンティティと前記他の場所アイデンティティとの間の関係を示す前記他のキャラクタアイデンティティの視覚表現を含むように、前記他の場所アイデンティティの少なくとも１つの前記視覚表現を決定することと、
を前記装置に行わせるように構成されたコンピュータプログラムコードを含む、請求項１に記載の装置。
【請求項５】
前記メモリは、前記プロセッサと協働して、前記場所アイデンティティに、少なくとも部分的に、基づき、地図の取得を前記装置に行わせるように構成されたコンピュータプログラムコードを含み、前記場所アイデンティティは前記地図上の場所に関係し、前記場所アイデンティティの前記視覚表現は前記地図に関係する、請求項１に記載の装置。
【請求項６】
前記メモリは、前記プロセッサと協働して、前記場所アイデンティティに、少なくとも部分的に、基づき、地図の取得を前記装置に行わせるように構成されたコンピュータプログラムコードを含み、前記場所アイデンティティは架空の場所に関係し、前記地図の取得は前記ドキュメントからの前記地図の抽出を含む、請求項１に記載の装置。
【請求項７】
前記メモリは、前記プロセッサと協働して、前記場所アイデンティティに、少なくとも部分的に、基づき、シーンの画像の取得を前記装置に行わせるように構成されたコンピュータプログラムコードを含み、前記場所アイデンティティの前記視覚表現は前記画像に関係する、請求項１に記載の装置。
【請求項８】
前記メモリは、前記プロセッサと協働して、
前記セクションのコンテンツに関連する少なくとも１つの商業ラベルを判別することと、
前記商業ラベルに対応付けられた視覚広告を判別することと、
を前記装置に行わせるように構成されたコンピュータプログラムコードを含む、請求項１に記載の装置。
【請求項９】
前記装置はディスプレイを含む、請求項１に記載の装置。
【請求項１０】
ドキュメントのセクションのコンテンツ、の少なくとも一部分、が表示されていることを判定することと、
前記セクションのコンテンツに関連する少なくとも１つのキャラクタアイデンティティを判別することと、
前記セクションによって示されている少なくとも１つの場所アイデンティティであって、前記キャラクタアイデンティティによって示されているキャラクタの場所を示す場所アイデンティティを判別することと、
前記場所アイデンティティの少なくとも１つの視覚表現が前記キャラクタアイデンティティと前記場所アイデンティティとの間の関係を示す前記キャラクタアイデンティティの視覚表現を含むように、前記場所アイデンティティの少なくとも１つの前記視覚表現を決定することと、
を含む方法。
【請求項１１】
前記場所アイデンティティの前記視覚表現の表示を引き起こすことと、
ドキュメント閲覧入力を示す情報を受信することと、を更に含み、前記場所アイデンティティの前記視覚表現の表示を前記引き起こすことは、前記ドキュメント閲覧入力に、少なくとも部分的に、基づく、請求項１０に記載の方法。
【請求項１２】
前記セクションのコンテンツに関連する少なくとも１つの他のキャラクタアイデンティティであって、前記キャラクタアイデンティティとは異なるキャラクタアイデンティティを判別することと、
前記セクションによって示されている少なくとも１つの他の場所アイデンティティであって、前記キャラクタアイデンティティによって示されているキャラクタの場所を示す場所アイデンティティを判別することと、
を更に含み、前記他の場所アイデンティティの視覚表現が前記他のキャラクタアイデンティティと前記他の場所アイデンティティとの間の関係を示す前記他のキャラクタアイデンティティの視覚表現を含むように、前記場所アイデンティティの前記視覚表現は前記他の場所アイデンティティの前記視覚表現を含む、請求項１０に記載の方法。
【請求項１３】
前記ドキュメントの異なるセクション、の少なくとも一部分、が表示されていることを判定することと、
前記異なるセクションのコンテンツに関連する少なくとも１つの他のキャラクタアイデンティティを判別することと、
前記異なるセクションによって示されている少なくとも１つの他の場所アイデンティティであって、前記他のキャラクタアイデンティティによって示されているキャラクタの場所を示す場所アイデンティティを判別することと、
前記他の場所アイデンティティの少なくとも１つの視覚表現が前記他のキャラクタアイデンティティと前記他の場所アイデンティティとの間の関係を示す前記他のキャラクタアイデンティティの視覚表現を含むように、前記他の場所アイデンティティの少なくとも１つの前記視覚表現を決定することと、
を更に含む、請求項１０に記載の方法。
【請求項１４】
前記場所アイデンティティに、少なくとも部分的に、基づき、地図を取得することを更に含み、前記場所アイデンティティは前記地図上の場所に関係し、前記場所アイデンティティの前記視覚表現は前記地図に関係する、請求項１０に記載の方法
【請求項１５】
前記場所アイデンティティに、少なくとも部分的に、基づき、地図を取得することを更に含み、前記場所アイデンティティは架空の場所に関し、前記地図の取得は、前記ドキュメントからの前記地図の抽出を含む、請求項１０に記載の方法。
【請求項１６】
前記場所アイデンティティに、少なくとも部分的に、基づき、シーンの画像を取得することを更に含み、前記場所アイデンティティの前記視覚表現は前記画像に関係する、請求項１０に記載の方法。
【請求項１７】
プロセッサによって実行されると、
ドキュメントのセクションのコンテンツ、の少なくとも一部分、が表示されていることを判定することと、
前記セクションのコンテンツに関連する少なくとも１つのキャラクタアイデンティティを判別することと、
前記セクションによって示されている少なくとも１つの場所アイデンティティであって、前記キャラクタアイデンティティによって示されているキャラクタの場所を示す場所アイデンティティを判別することと、
前記場所アイデンティティの少なくとも１つの視覚表現が前記キャラクタアイデンティティと前記場所アイデンティティとの間の関係を示す前記キャラクタアイデンティティの視覚表現を含むように、前記場所アイデンティティの少なくとも１つの前記視覚表現を決定することと、
を行う複数の命令がコード化された少なくとも１つのコンピュータ可読媒体。
【請求項１８】
プロセッサによって実行されると、
前記場所アイデンティティの前記視覚表現の表示を引き起こすことと、
ドキュメント閲覧入力を示す情報を受信することと、を行う複数の命令が更にコード化され、前記場所アイデンティティの前記視覚表現の表示を前記引き起こすことは、前記ドキュメント閲覧入力に、少なくとも部分的に、基づく、請求項１７に記載の媒体。
【請求項１９】
プロセッサによって実行されると、
前記セクションのコンテンツに関連する少なくとも１つの他のキャラクタアイデンティティであって、前記キャラクタアイデンティティとは異なるキャラクタアイデンティティを判別することと、
前記セクションによって示されている少なくとも１つの他の場所アイデンティティであって、前記キャラクタアイデンティティによって示されているキャラクタの場所を示す場所アイデンティティを判別することと、
を行う複数の命令が更にコード化され、前記他の場所アイデンティティの視覚表現が前記他のキャラクタアイデンティティと前記他の場所アイデンティティとの間の関係を示す前記他のキャラクタアイデンティティの視覚表現を含むように、前記場所アイデンティティの前記視覚表現は前記他の場所アイデンティティの前記視覚表現を含む、請求項１７に記載の媒体。
【請求項２０】
プロセッサによって実行されると、
前記ドキュメントの異なるセクション、の少なくとも一部分、が表示されていることを判定することと、
前記異なるセクションのコンテンツに関連する少なくとも１つの他のキャラクタアイデンティティを判別することと、
前記異なるセクションによって示されている少なくとも１つの他の場所アイデンティティであって、前記他のキャラクタアイデンティティによって示されているキャラクタの場所を示す他の場所アイデンティティを判別することと、
前記他の場所アイデンティティの少なくとも１つの視覚表現が前記他のキャラクタアイデンティティと前記他の場所アイデンティティとの間の関係を示す前記他のキャラクタアイデンティティの視覚表現を含むように、前記他の場所アイデンティティの前記視覚表現を決定することと、
を行う複数の命令が更にコード化された、請求項１７に記載の媒体。
【発明の詳細な説明】
【技術分野】
【０００１】
本出願は、全般的には、ドキュメントの情報の表現に関する。
【背景】
【０００２】
電子装置が増えるに伴い、ユーザが電子装置を用いて実施し得るアクティビティの量が増えている。例えば、多くのユーザは、過去においては電子装置に対応付けられていなかった方法で、各自の電子装置と対話する。例えば、多くのユーザは、各自の電子装置によって書籍などのドキュメントと対話する。ユーザが電子装置によって簡単かつ直観的にドキュメントと対話できるようにすることが望ましい場合もある。
【摘要】
【０００３】
本発明の複数の例のさまざまな態様が特許請求の範囲に記載されている。
【０００４】
１つ以上の実施形態は、装置と、コンピュータ可読媒体と、非一時的コンピュータ可読媒体と、コンピュータプログラム製品と、方法とを提供し得る。この方法は、ドキュメントのセクションのコンテンツ、の少なくとも一部分、が表示されていることを判定し、当該セクションのコンテンツに関連する少なくとも１つのキャラクタアイデンティティを判別し、当該セクションによって示されている少なくとも１つの場所アイデンティティであって、当該キャラクタアイデンティティによって示されているキャラクタの場所を示す場所アイデンティティを判別し、当該場所アイデンティティの少なくとも１つの視覚表現が当該キャラクタアイデンティティと当該場所アイデンティティとの間の関係を示す当該キャラクタアイデンティティの視覚表現を含むように当該場所アイデンティティの少なくとも１つの視覚表現を決定するための方法である。
【０００５】
１つ以上の実施形態は、装置と、コンピュータ可読媒体と、コンピュータプログラム製品と、非一時的コンピュータ可読媒体とを提供し得る。この媒体は、ドキュメントのセクションのコンテンツ、の少なくとも一部分、が表示されていることを判定する手段と、当該セクションのコンテンツに関連する少なくとも１つのキャラクタアイデンティティを判別する手段と、当該セクションによって示されている少なくとも１つの場所アイデンティティであって、当該キャラクタアイデンティティによって示されているキャラクタの場所を示す場所アイデンティティを判別する手段と、当該場所アイデンティティの少なくとも１つの視覚表現が当該キャラクタアイデンティティと当該場所アイデンティティとの間の関係を示す当該キャラクタアイデンティティの視覚表現を含むように当該場所アイデンティティの少なくとも１つの視覚表現を決定する手段とを含む。
【０００６】
少なくとも１つの例示的実施形態において、セクションは、チャプタ、アクト、サブチャプタ、またはページのうちの少なくとも１つに関係する。
【０００７】
少なくとも１つの例示的実施形態において、セクションは、当該セクションのコンテンツをドキュメントの他のコンテンツから区別するコンテンツの区分に関係する。
【０００８】
１つ以上の例示的実施形態は、更に、場所アイデンティティの視覚表現の表示を引き起こす。
【０００９】
少なくとも１つの例示的実施形態において、場所アイデンティティの視覚表現の表示は、当該セクションの当該部分の至近距離に位置するべく引き起こされる。
【００１０】
少なくとも１つの例示的実施形態において、場所アイデンティティの視覚表現の表示は、当該セクションの当該部分の上方に位置するべく引き起こされる。
【００１１】
１つ以上の例示的実施形態は、ドキュメント閲覧入力を示す情報の受信を更に行う。この場合、場所アイデンティティの視覚表現の表示は、ドキュメント閲覧入力に、少なくとも部分的に、基づき、引き起こされる。
【００１２】
少なくとも１つの例示的実施形態において、ドキュメント閲覧入力は、読み取りナビゲーション入力とは異なる。
【００１３】
少なくとも１つの例示的実施形態において、読み取りナビゲーション入力は、読み取り中のドキュメントのナビゲーションに対応付けられた入力に関係する。
【００１４】
少なくとも１つの例示的実施形態において、ドキュメント閲覧入力は連続ストローク入力に関係し、場所アイデンティティの視覚表現の表示は、連続ストローク入力の接触に対応して引き起こされる。
【００１５】
少なくとも１つの例示的実施形態において、連続ストローク入力は接触入力と接触解除入力とを含み、場所情報の視覚表現の表示は、接触入力に対応して引き起こされる。
【００１６】
１つ以上の例示的実施形態は、更に、表示の終了が接触解除入力に対応するように、場所アイデンティティの視覚表現の表示の終了を引き起こす。
【００１７】
少なくとも１つの例示的実施形態において、表示は、閲覧モード中に引き起こされる。
【００１８】
少なくとも１つの例示的実施形態において、表示は、読み取りモード中に引き起こされる。
【００１９】
少なくとも１つの例示的実施形態において、セクションのコンテンツは、非メタデータ情報に関係する。
【００２０】
少なくとも１つの例示的実施形態において、ドキュメントは、電子書籍に関係する。
【００２１】
少なくとも１つの例示的実施形態において、コンテンツは、電子書籍の本体に関係する。
【００２２】
少なくとも１つの例示的実施形態において、キャラクタアイデンティティは、ドキュメントのコンテンツに描写されているキャラクタに関係する。
【００２３】
少なくとも１つの例示的実施形態において、セクションのコンテンツに関連するキャラクタアイデンティティは、当該セクションのコンテンツの少なくとも一部分によって描写されている当該キャラクタアイデンティティのキャラクタに関係する。
【００２４】
少なくとも１つの例示的実施形態において、場所アイデンティティは、ドキュメントのコンテンツに関連がある場所に関係する。
【００２５】
少なくとも１つの例示的実施形態において、キャラクタアイデンティティによって示されているキャラクタの場所を示す場所アイデンティティは、ドキュメントのコンテンツの少なくとも一部分によって、当該場所に対応付けて、描写されているキャラクタに関係する。
【００２６】
１つ以上の例示的実施形態は、当該セクションのコンテンツに関連する少なくとも１つの他のキャラクタアイデンティティであって、当該キャラクタアイデンティティとは異なるキャラクタアイデンティティの判別と、当該セクションによって示されている少なくとも１つの他の場所アイデンティティであって、当該キャラクタアイデンティティによって示されているキャラクタの場所を示す場所アイデンティティの判別とを更に行う。
【００２７】
少なくとも１つの例示的実施形態において、当該場所アイデンティティの視覚表現は、他の場所アイデンティティの視覚表現が他のキャラクタアイデンティティと他の場所アイデンティティとの間の関係を示す他のキャラクタアイデンティティの視覚表現を含むように、他の場所アイデンティティの視覚表現を含む。
【００２８】
少なくとも１つの例示的実施形態において、当該場所アイデンティティおよび他の場所アイデンティティは、地図上の場所にそれぞれ関係し、当該場所アイデンティティの視覚表現は、当該場所アイデンティティと他の場所アイデンティティとを含む地図に関係する。
【００２９】
少なくとも１つの例示的実施形態において、キャラクタアイデンティティと場所アイデンティティとの間の関係の表示は、当該場所アイデンティティの視覚表現における当該場所アイデンティティの場所に対応するキャラクタアイデンティティの視覚表現に関係する。
【００３０】
少なくとも１つの例示的実施形態において、他のキャラクタアイデンティティと他の場所アイデンティティとの間の関係の表示は、当該他の場所アイデンティティの視覚表現における当該他の場所アイデンティティの場所に対応する当該他のキャラクタアイデンティティの視覚表現に関係する。
【００３１】
１つ以上の例示的実施形態は、場所アイデンティティおよび他の場所アイデンティティに、少なくとも部分的に、基づき、地図の取得を更に行う。
【００３２】
少なくとも１つの例示的実施形態において、場所アイデンティティおよび他の場所アイデンティティはそれぞれ非架空の場所に関係し、地図の取得は地図サービスからの地図の取得を含む。
【００３３】
少なくとも１つの例示的実施形態において、場所アイデンティティおよび他の場所アイデンティティはそれぞれ架空の場所に関係し、地図の取得はドキュメントからの地図の抽出を含む。
【００３４】
少なくとも１つの例示的実施形態において、ドキュメントは地図を示す情報を含むメタデータを含み、ドキュメントからの地図の抽出は、ドキュメントからメタデータをコピーすることを含む。
【００３５】
１つ以上の例示的実施形態は、地図が場所アイデンティティと他の場所アイデンティティとを含むように、地図のズームレベルまたは地図のトリミング領域の少なくとも一方の決定を更に行う。
【００３６】
１つ以上の例示的実施形態は、ドキュメントの異なるセクション、の少なくとも一部分、が表示されていることの判定と、当該異なるセクションのコンテンツに関連する少なくとも１つの他のキャラクタアイデンティティの判別と、当該異なるセクションによって示されている少なくとも１つの他の場所アイデンティティであって、当該少なくとも１つの他のキャラクタアイデンティティによって示されているキャラクタの場所を示す少なくとも１つの他の場所アイデンティティの判別と、当該他の場所アイデンティティのすくなくとも１つの視覚表現が当該他のキャラクタアイデンティティと当該他の場所アイデンティティとの間の関係を示す当該他のキャラクタアイデンティティの視覚表現を含むように当該他の場所アイデンティティの少なくとも１つの視覚表現の決定とを更に行う。
【００３７】
少なくとも１つの例示的実施形態において、キャラクタアイデンティティの判別は、当該キャラクタアイデンティティを表す少なくとも１つのメタデータ要素であって、当該セクションに対応付けられているメタデータ要素の識別を含む。
【００３８】
少なくとも１つの例示的実施形態において、場所アイデンティティの判別は、当該場所アイデンティティを表す少なくとも１つのメタデータ要素であって、当該セクションに対応付けられているメタデータ要素の識別を含む。
【００３９】
少なくとも１つの例示的実施形態において、キャラクタアイデンティティの判別は、当該キャラクタアイデンティティを識別する当該セクションの非メタデータコンテンツの識別を含む。
【００４０】
少なくとも１つの例示的実施形態において、非メタデータコンテンツは、キャラクタアイデンティティを識別する非メタデータテキスト情報に関係する。
【００４１】
少なくとも１つの例示的実施形態において、キャラクタアイデンティティは、当該キャラクタアイデンティティに対応付けられたキャラクタの名前に関係する。
【００４２】
少なくとも１つの例示的実施形態において、場所アイデンティティの判別は、当該場所アイデンティティを識別する当該セクションの非メタデータコンテンツの識別を含む。
【００４３】
少なくとも１つの例示的実施形態において、非メタデータコンテンツは、場所アイデンティティを識別する非メタデータテキスト情報に関係する。
【００４４】
少なくとも１つの例示的実施形態において、場所アイデンティティは、当該場所アイデンティティに対応付けられた場所の名前に関係する。
【００４５】
少なくとも１つの例示的実施形態において、場所アイデンティティは地図上の場所に関係し、場所アイデンティティの視覚表現は、当該場所アイデンティティを含む地図に関係する。
【００４６】
少なくとも１つの例示的実施形態において、キャラクタアイデンティティと場所アイデンティティとの間の関係の表示は、当該場所アイデンティティの視覚表現における当該場所アイデンティティの場所に対応する当該キャラクタアイデンティティの視覚表現に関係する。
【００４７】
１つ以上の例示的実施形態は、場所アイデンティティに、少なくとも部分的に、基づき、地図の取得を更に行う。
【００４８】
少なくとも１つの例示的実施形態において、場所アイデンティティは非架空の場所に関係し、地図の取得は地図サービスからの地図の取得を含む。
【００４９】
少なくとも１つの例示的実施形態において、地図サービスからの地図の取得は、場所アイデンティティを特定する検索クエリを地図サービスに送信することを含む。
【００５０】
少なくとも１つの例示的実施形態において、場所アイデンティティは架空の場所に関係し、地図の取得はドキュメントからの地図の抽出を含む。
【００５１】
少なくとも１つの例示的実施形態において、ドキュメントは地図を示す情報を含むメタデータを含み、ドキュメントからの地図の抽出はドキュメントからメタデータをコピーすることを含む。
【００５２】
少なくとも１つの例示的実施形態において、キャラクタアイデンティティの視覚表現は、当該キャラクタアイデンティティのキャラクタの画像に関係する。
【００５３】
１つ以上の例示的実施形態は、キャラクタアイデンティティの視覚表現の決定を更に行う。
【００５４】
少なくとも１つの例示的実施形態において、キャラクタアイデンティティの視覚表現の決定は、インターネットサーチエンジンによるキャラクタの画像の検索と、この検索に、少なくとも部分的に、基づく画像の受信とを含む。
【００５５】
少なくとも１つの例示的実施形態において、キャラクタアイデンティティの視覚表現は、当該キャラクタアイデンティティのテキスト表現またはアイコンの少なくとも一方に関係する。
【００５６】
少なくとも１つの例示的実施形態において、場所アイデンティティの視覚表現は、当該場所アイデンティティに関係するシーンの画像に関係する。
【００５７】
１つ以上の例示的実施形態は、場所アイデンティティに、少なくとも部分的に、基づき、画像の取得を更に行う。
【００５８】
少なくとも１つの例示的実施形態において、場所アイデンティティは非架空の場所に関係し、画像の取得は、インターネットサーチエンジンによるシーンの画像の検索と、この検索に、少なくとも部分的に、基づく画像の受信とを含む。
【００５９】
少なくとも１つの例示的実施形態において、キャラクタアイデンティティと場所アイデンティティとの間の関係の表示は、シーン内に存在するキャラクタアイデンティティの視覚表現に関係する。
【００６０】
１つ以上の例示的実施形態は、セクションのコンテンツに関連する少なくとも１つの商業ラベルの判別と、この商業ラベルに対応付けられた視覚広告の決定とを更に行う。
【００６１】
１つ以上の例示的実施形態は、場所アイデンティティの視覚表現に関連して視覚広告の表示を更に引き起こす。
【００６２】
少なくとも１つの例示的実施形態において、商業ラベルは、製品名、社名、商標、またはスローガンのうちの少なくとも１つに関係する。
【００６３】
少なくとも１つの例示的実施形態において、商業ラベルの判別は、この商業ラベルに対応するメタデータの識別を含む。
【００６４】
少なくとも１つの例示的実施形態において、商業ラベルの判別は、この商業ラベルを識別するセクションの非メタデータコンテンツの識別を含む。
【００６５】
少なくとも１つの例示的実施形態において、非メタデータコンテンツは、商業ラベルを識別する非メタデータテキスト情報に関係する。
【００６６】
次に、本発明の複数の実施形態のより完全な理解のために、添付の図面と併せて以下の説明を参照されたい。
【図面の簡単な説明】
【００６７】
【図１】一例示的実施形態による装置を示すブロック図である。
【図２】図２Ａ〜２Ｅは、少なくとも１つの例示的実施形態によるタッチ入力を示す図である。
【図３】図３Ａ及び３Ｂは、少なくとも１つの例示的実施形態によるドキュメントとの対話を示す図である。
【図４】図４Ａ及び４Ｂは、少なくとも１つの例示的実施形態によるドキュメントのコンテンツを示す図である。
【図５】図５Ａ〜５Ｃは、少なくとも１つの例示的実施形態による場所アイデンティティの視覚表現を示す図である。
【図６】少なくとも１つの例示的実施形態による場所アイデンティティおよびキャラクタアイデンティティの視覚表現の決定に対応付けられたアクティビティを示す流れ図である。
【図７】少なくとも１つの例示的実施形態による場所アイデンティティおよびキャラクタアイデンティティの視覚表現の決定に対応付けられたアクティビティを示す流れ図である。
【図８】少なくとも１つの例示的実施形態による場所アイデンティティおよびキャラクタアイデンティティの視覚表現の決定に対応付けられたアクティビティを示す流れ図である。
【図９】少なくとも１つの例示的実施形態による場所アイデンティティおよびキャラクタアイデンティティの視覚表現の決定に対応付けられたアクティビティを示す流れ図である。
【図１０】少なくとも１つの例示的実施形態による場所アイデンティティおよびキャラクタアイデンティティの視覚表現の決定に対応付けられたアクティビティを示す流れ図である。
【図１１】少なくとも１つの例示的実施形態による場所アイデンティティおよびキャラクタアイデンティティの視覚表現の決定に対応付けられたアクティビティを示す流れ図である。
【図１２】少なくとも１つの例示的実施形態による場所アイデンティティおよびキャラクタアイデンティティの視覚表現の決定に対応付けられたアクティビティを示す流れ図である。
【図１３】少なくとも１つの例示的実施形態による場所アイデンティティおよびキャラクタアイデンティティの視覚表現の決定に対応付けられたアクティビティを示す流れ図である。
【図１４】少なくとも１つの例示的実施形態による場所アイデンティティおよびキャラクタアイデンティティの視覚表現の決定に対応付けられたアクティビティを示す流れ図である。
【図面の詳細な説明】
【００６８】
本発明の一実施形態およびその潜在的利点は、図面の図１〜１４を参照することによって理解される。
【００６９】
次に、全ての実施形態ではないがいくつかの実施形態が示されている添付の図面を参照して、いくつかの実施形態をより詳細に以下に説明する。本発明のさまざまな実施形態は、多くの異なる形態で具体化され得るので、本願明細書に記載の実施形態に限定されず、むしろ、これら実施形態は、該当する法律上の要件を本開示が満たすように、提供されていると解釈されたい。明細書全体にわたって、同じ参照符号は同じ要素を指す。本願明細書で使用されている用語「データ」、「コンテンツ」、「情報」、および同様の用語は、本発明の複数の実施形態により送信、受信、および／または記憶可能なデータを指すために区別なく使用され得る。したがって、このような用語の使用は、何れも本発明の実施形態の精神および範囲を限定するとは解釈されるべきではない。
【００７０】
更に、本願明細書で使用されている用語「回路（'ｃｉｒｃｕｉｔｒｙ'）」は、（ａ）ハードウェアのみの回路の具現例（例えば、アナログ回路および／またはデジタル回路としての具現例）、（ｂ）本願明細書に記載の１つ以上の機能を装置に行わせるために協働する１つ以上のコンピュータ可読メモリに記憶されたソフトウェアおよび／またはファームウェア命令を含むコンピュータプログラム製品（単数または複数）と回路との組み合わせ、および（ｃ）ソフトウェアまたはファームウェアが物理的に存在しない場合でも、動作のためにソフトウェアまたはファームウェアを必要とする回路、例えば、マイクロプロセッサ（単数または複数）またはマイクロプロセッサ（単数または複数）の一部分など、を指す。「回路（'ｃｉｒｃｕｉｔｒｙ'）」のこの定義は、本願明細書において、および何れの請求項においても、この用語のあらゆる使用に適用される。別の例として、本願明細書に使用されている用語「回路（'ｃｉｒｃｕｉｔｒｙ'）」は、１つ以上のプロセッサおよび／またはその部分（単数または複数）と付属のソフトウェアおよび／またはファームウェアとを含む具現例を更に含む。別の例として、本願明細書に使用されている用語「回路（'ｃｉｒｃｕｉｔｒｙ'）」は、例えば、携帯電話用のベースバンド集積回路またはアプリケーションプロセッサ集積回路、またはサーバ、セルラーネットワーク装置、他のネットワーク装置、および／または他の計算装置内の同様の集積回路を含む。
【００７１】
本願明細書に定義されている、物理的媒体（例えば、揮発性または不揮発性メモリデバイス）を指す「非一時的コンピュータ可読媒体（'ｎｏｎ−ｔｒａｎｓｉｔｏｒｙ  ｃｏｍｐｕｔｅｒ−ｒｅａｄａｂｌｅ  ｍｅｄｉｕｍ'）」は、電磁信号を指す「一時的コンピュータ可読媒体（'ｔｒａｎｓｉｔｏｒｙ  ｃｏｍｐｕｔｅｒ−ｒｅａｄａｂｌｅ  ｍｅｄｉｕｍ'）」とは区別され得る。
【００７２】
図１は、少なくとも１つの例示的実施形態による、電子装置１０などの、装置を示すブロック図である。ただし、図示および下記の電子装置は、本発明の複数の実施形態から利益を得ることができる電子装置の一例に過ぎず、したがって本発明の範囲を限定するものではないことを理解されたい。一例として電子装置１０が図示および後述されるが、他の種類の電子装置も本発明の複数の実施形態を容易に採用し得る。電子装置１０は、携帯情報端末（ＰＤＡ：ｐｅｒｓｏｎａｌ  ｄｉｇｉｔａｌ  ａｓｓｉｓｔａｎｔ）、ポケベル、モバイルコンピュータ、デスクトップコンピュータ、テレビ受像機、ゲーム装置、ラップトップコンピュータ、タブレットコンピュータ、メディアプレーヤ、カメラ、ビデオレコーダ、携帯電話機、全地球測位システム（ＧＰＳ：ｇｒｏｂａｌ  ｐｏｓｉｔｉｏｎｉｎｇ  ｓｙｓｔｅｍ）装置、冷蔵庫、自動車、キオスク、電子テーブル、および／または何れか他の種類の電子システムであり得る。更に、少なくとも１つの例示的実施形態の装置は電子装置全体である必要はなく、他の複数の例示的実施形態においては、この電子装置の一構成要素または構成要素群であり得る。例えば、本装置は、一集積回路、一組の集積回路、および／またはそれに類するものであり得る。
【００７３】
更に、複数の装置が、それぞれの目的が移動性の提供であるかどうかに拘らず、本発明の複数の実施形態を容易に採用し得る。この点に関して、本発明の複数の実施形態はモバイル用途に関連付けて説明されることもあるが、本発明の複数の実施形態は、モバイル通信業界内およびモバイル通信業界外の両方において、他の種々の用途との関連において利用され得ることを理解されたい。例えば、本装置は、大画面テレビ受像機、冷蔵庫、キオスク、自動車、および／またはそれに類するものなど、非携帯型装置、の少なくとも一部分、に関係し得る。
【００７４】
少なくとも１つの例示的実施形態において、電子装置１０は、プロセッサ１１とメモリ１２とを備える。プロセッサ１１は、何れの種類のプロセッサ、制御装置、組み込み型制御装置、プロセッサコア、および／またはそれに類するものであり得る。少なくとも１つの例示的実施形態において、プロセッサ１１は、１つ以上の動作を装置に行わせるためにコンピュータプログラムコードを利用する。メモリ１２は、データの一時記憶用のキャッシュ領域を含む揮発性ランダムアクセスメモリ（ＲＡＭ）などの揮発性メモリ、および／または他のメモリ、例えば不揮発性メモリ、を含み得る。これらメモリは、組み込み型および／または取り外し可能であり得る。不揮発性メモリは、ＥＥＰＲＯＭ、フラッシュメモリ、および／またはそれに類するものを含み得る。メモリ１２は、任意の数の情報およびデータを記憶し得る。これら情報およびデータは、本願明細書に記載の機能など、電子装置１０の１つ以上の機能を具現化するために、電子装置１０によって使用され得る。少なくとも１つの例示的実施形態において、メモリ１２はコンピュータプログラムコードを含み、このメモリおよびコンピュータプログラムコードは、プロセッサと協働して、本願明細書に記載の１つ以上の動作を本装置に行わせるように構成される。
【００７５】
電子装置１０は、通信デバイス１５を更に備え得る。少なくとも１つの例示的実施形態において、通信デバイス１５は、送信機および／または受信機に作動的に通じているアンテナ（または複数のアンテナ）、有線コネクタ、および／またはそれに類するものを備える。少なくとも１つの例示的実施形態において、プロセッサ１１は、信号を送信機に供給する、および／または信号を受信機から受信する。これら信号は、通信インタフェース規格による信号情報、ユーザの音声、受信データ、ユーザ生成データ、および／またはそれに類するものを含み得る。通信デバイス１５は、１つ以上の無線インタフェース規格、通信プロトコル、変調種別、およびアクセス種別で動作し得る。実例として、電子通信デバイス１５は、ＩＳ−１３６（時分割多元接続（ＴＤＭＡ：ｔｉｍｅ  ｄｉｖｉｓｉｏｎ  ｍｕｌｔｉｐｌｅ  ａｃｃｅｓｓ））、ＧＳＭ（登録商標）、およびＩＳ−９５（符号分割多元接続（ＣＤＭＡ：ｃｏｄｅ  ｄｉｖｉｓｉｏｎ  ｍｕｌｔｉｐｌｅ  ａｃｃｅｓｓ））などの第２世代（２Ｇ）無線通信プロトコルにより、および／またはユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＣＤＭＡ２０００、ＷＣＤＭＡ（登録商標）および時分割同期ＣＤＭＡ（ＴＤ−ＳＣＤＭＡ：ｔｉｍｅ  ｄｉｖｉｓｉｏｎ−ｓｙｎｃｈｒｏｎｏｕｓ  ＣＤＭＡ）などの第３世代（３Ｇ）無線通信プロトコルにより、および／または第４世代（４Ｇ）無線通信プロトコル、および／または８０２．１１などの無線ネットワーキングプロトコル、および／またはＢｌｕｅｔｏｏｔｈ（登録商標）などの近距離無線プロトコル、および／またはそれに類するプロトコルにより、動作し得る。通信デバイス１５は、イーサネット（登録商標）、デジタル加入者線（ＤＳＬ：ｄｉｇｉｔａｌ  ｓｕｂｓｃｒｉｂｅｒ  ｌｉｎｅ）、非同期転送モード（ＡＴＭ：ａｓｙｎｃｈｒｏｎｏｕｓ  ｔｒａｎｓｆｅｒ  ｍｏｄｅ）、および／またはそれに類するものなど、有線プロトコルで動作し得る。
【００７６】
プロセッサ１１は、オーディオ、ビデオ、通信、ナビゲーション、ロジック機能、および／またはそれに類するものを具現化するための、ならびに、例えば、本願明細書に記載の機能のうちの１つ以上を含む、本発明の複数の実施形態を具現化するための、回路などの手段を備え得る。例えば、プロセッサ１１は、例えば、本願明細書に記載の機能のうちの１つ以上を含む、さまざまな機能を実行するために、デジタル信号プロセッサデバイス、マイクロプロセッサデバイス、さまざまなアナログ−デジタル変換器、デジタル−アナログ変換器、処理回路、および他の支持回路などの手段を備え得る。本装置は、これらデバイス間で、それぞれの能力に応じて、電子装置１０の制御および信号処理機能を行い得る。したがって、プロセッサ１１は、メッセージおよびデータの符号化およびインターリーブを変調および送信前に行うための機能を備え得る。プロセッサ１１は、内蔵ボイスコーダを更に備え得る。プロセッサ１１は、内蔵データモデムを備え得る。
【００７７】
更に、プロセッサ１１は、１つ以上のソフトウェアプログラムを実行する機能を備え得る。これらソフトウェアプログラムはメモリに記憶され得る。これらソフトウェアプログラムは、とりわけ、少なくとも１つの実施形態の具現化をプロセッサ１１に行わせ得る。この少なくとも１つの実施形態は、例えば本願明細書に記載の機能のうちの１つ以上を含む。例えば、プロセッサ１１は、従来のインターネットブラウザなどの接続プログラムを実行し得る。この接続プログラムにより、電子装置１０は、場所ベースのコンテンツおよび／または他のウェブページコンテンツなどのインターネットコンテンツの送信および受信を、例えば、伝送制御プロトコル（ＴＣＰ：Ｔｒａｎｓｍｉｓｓｉｏｎ  Ｃｏｎｔｒｏｌ  Ｐｒｏｔｏｃｏｌ）、インターネットプロトコル（ＩＰ：Ｉｎｔｅｒｎｅｔ  Ｐｒｏｔｏｃｏｌ）、ユーザデータグラムプロトコル（ＵＤＰ：Ｕｓｅｒ  Ｄａｔａｇｒａｍ  Ｐｒｏｔｏｃｏｌ）、インターネットメッセージアクセスプロトコル（ＩＭＡＰ：Ｉｎｔｅｒｎｅｔ  Ｍｅｓｓａｇｅ  Ａｃｃｅｓｓ  Ｐｒｏｔｏｃｏｌ）、ポストオフィスプロトコロル（ＰＯＰ：Ｐｏｓｔ  Ｏｆｆｉｃｅ  Ｐｒｏｔｏｃｏｌ）、簡易メール転送プロトコル（ＳＭＴＰ：Ｓｉｍｐｌｅ  Ｍａｉｌ  Ｔｒａｎｓｆｅｒ  Ｐｒｏｔｏｃｏｌ）、無線アプリケーションプロトコル（ＷＡＰ：Ｗｉｒｅｌｅｓｓ  Ａｐｐｌｉｃａｔｉｏｎ  Ｐｒｏｔｏｃｏｌ）、ハイパーテキスト転送プロトコル（ＨＴＴＰ：Ｈｙｐｅｒｔｅｘｔ  Ｔｒａｎｓｆｅｒ  Ｐｒｏｔｏｃｏｌ）、および／またはそれに類するプロトコルにより、行い得る。
【００７８】
電子装置１０は、出力の提供および／または入力の受信のためのユーザインタフェースを備え得る。電子装置１０は、出力デバイス１４を備え得る。出力デバイス１４は、呼び出しベル、イヤホン、スピーカ、および／またはそれに類するものなど、オーディオ出力デバイスを含み得る。出力デバイス１４は、振動トランスデューサ、電子的に変形可能な表面、電子的に変形可能な構造、および／またはそれに類するものなど、触覚出力デバイスを含み得る。出力デバイス１４は、ディスプレイなどの視覚出力デバイス、光、および／またはそれに類するものを含み得る。少なくとも１つの例示的実施形態において、装置は、情報の表示を引き起こす。表示の引き起こしは、装置が備えるディスプレイへの情報の表示、ディスプレイを備えた別個の装置への情報の送出、および／またはそれに類することを含み得る。電子装置は、入力デバイス１３を備え得る。入力デバイス１３は、光センサ、近接センサ、マイクロホン、タッチセンサ、力センサ、ボタン、キーパッド、モーションセンサ、磁界センサ、カメラ、および／またはそれに類するものを含み得る。タッチセンサおよびディスプレイは、タッチディスプレイとして特徴付けられ得る。タッチディスプレイを備えた一実施形態において、タッチディスプレイは、単一の接触点、複数の接触点、および／またはそれに類するものから入力を受信するべく構成され得る。このような実施形態において、タッチディスプレイおよび／またはプロセッサは、位置、動き、速度、接触面積、および／またはそれに類するものに、少なくとも部分的に、基づき、入力を判別し得る。少なくとも１つの例示的実施形態において、装置は、入力の通知を受信する。装置は、この通知をセンサ、運転手、別個の装置、および／またはそれに類するものから受信し得る。この入力を示す情報は、入力を示す情報、および／または入力の一局面を示す情報、および／または入力の発生を示す情報、および／またはそれに類する情報、を伝える情報に関係し得る。
【００７９】
電子装置１０は、種々のタッチディスプレイの何れかを含み得る。これらタッチディスプレイとして、抵抗、容量性、赤外線、歪みゲージ、表面波、光学撮像、分散信号技術、音響パルス認識、または他の手法のうちの何れかによるタッチ認識を可能にするべく、更にその後にこのタッチに対応付けられた場所および他のパラメータを示す信号を供給するべく、構成されたタッチディスプレイが挙げられる。更に、タッチディスプレイは、選択用物体（例えば、指、スタイラス、ペン、鉛筆、または他のポインティングデバイス）と当該タッチディスプレイとの間の実際の物理的接触として定義され得るタッチ事象の形態で入力の通知を受信するべく構成され得る。あるいは、タッチ事象は、選択用物体をタッチディスプレイに物理的に接触させなくても、選択用物体をタッチディスプレイに近付けること、または表示されたオブジェクトの上方で停止させること、または既定の距離内までオブジェクトに接近させること、として定義され得る。そのため、タッチ入力は、タッチディスプレイによって検出される何れの入力でも含み得る。例えば、実際の物理的接触を伴うタッチ事象、および物理的接触を伴わないがタッチディスプレイによって別様に検出されるタッチ事象、すなわち、選択用物体をタッチディスプレイに近付けた結果など、が含まれ得る。タッチディスプレイは、タッチ入力に関連してタッチスクリーンに加えられた力に対応付けられた情報を受信可能であり得る。例えば、タッチスクリーンは、重い押下タッチ入力と軽い押下タッチ入力とを区別し得る。少なくとも１つの例示的実施形態において、ディスプレイは二次元情報、三次元情報、および／またはそれに類するものを表示し得る。
【００８０】
キーパッドを含む複数の実施形態において、キーパッドは、電子装置１０を操作するための数字（例えば、０〜９）キー、記号キー（例えば、＃、＊）、英字キー、および／またはそれに類するものを備え得る。例えば、キーパッドは、従来のＱＷＥＲＴＹキーパッド配列を備え得る。キーパッドは、機能がそれぞれ対応付けられたさまざまなソフトキーを更に備え得る。加えて、または代わりに、電子装置１０は、ジョイスティックなどのインタフェースデバイスまたは他のユーザ入力インタフェースを備え得る。
【００８１】
入力デバイス１３は、メディア取り込み要素を備え得る。メディア取り込み要素は、画像、ビデオ、および／またはオーディオを記憶、表示、または送信のために取り込むための何れの手段でもよい。例えば、メディア取り込み要素がカメラモジュールである少なくとも１つの例示的実施形態において、カメラモジュールは、取り込まれた画像からデジタル画像ファイルを形成し得るデジタルカメラを備え得る。そのため、カメラモジュールは、レンズまたは他の光学部品（単数または複数）などのハードウェア、および／または取り込まれた画像からデジタル画像ファイルを作成するために必要なソフトウェア、を備え得る。あるいは、カメラモジュールは、画像を見るためのハードウェアのみを備え得る。この場合、電子装置１０のメモリデバイスは、取り込まれた画像からデジタル画像ファイルを作成するために、プロセッサ１１によって実行される命令をソフトウェアの形態で記憶する。少なくとも１つの例示的実施形態において、カメラモジュールは、画像データの処理においてプロセッサ１１を手伝うコプロセッサなどの処理要素と、画像データの圧縮および／または復元用のエンコーダおよび／またはデコーダとを更に備え得る。エンコーダおよび／またはデコーダは、標準フォーマット、例えばＪＰＥＧ（Ｊｏｉｎｔ  Ｐｈｏｔｏｇｒａｐｈｉｃ  Ｅｘｐｅｒｔｓ  Ｇｒｏｕｐ）標準フォーマット、に従って符号化および／または復号化を行い得る。
【００８２】
図２Ａ〜２Ｅは、少なくとも１つの例示的実施形態によるタッチ入力を示す図である。図２Ａ〜２Ｅの例は、タッチ入力の単なる例であり、特許請求の範囲を限定するものではない。例えば、入力の数は可変であり、入力間の関係は可変であり、入力の向きは可変であり、および／またはそれに類し得る。
【００８３】
図２Ａ〜２Ｅにおいて、円は、タッチディスプレイなどのタッチセンサとの接触に関係する入力を表し、交差する２本の線は、タッチセンサからの接触解除に関係する入力を表し、１本の線は、タッチセンサ上での移動に関係する入力を表す。図２Ａ〜２Ｅの例はタッチセンサとの連続的接触を示しているが、入力の一部がタッチセンサに直接接触していない場合もあり得る。そのような状況下でも、本装置は、入力が連続ストローク入力であると判別し得る。例えば、本装置は、タッチ入力の一部を判別するために、近接情報、例えばタッチセンサへの入力具の近さに関する情報、を利用し得る。
【００８４】
タッチセンサ情報が接触および接触解除の観点から説明されているとしても、多くのタッチセンサは、ユーザの手が装置からの閾値距離以内にあれば、装置に物理的に接触していなくとも、接触が発生したと判定し得ることを理解されたい。したがって、接触は、接触の存在を判定するに十分なほど近い近接であるとタッチセンサが判定する状況に関係し得る。同様に、接触解除は、接触の終了を判定するに十分なほど離れている近接であるとタッチセンサが判定する状況に関係し得る。
【００８５】
図２Ａの例において、入力２００は、接触入力２０２の受信と接触解除入力２０４の受信とに関係する。この例において、接触入力２０２と接触解除入力２０４とは、ほぼ同じ位置で発生する。一例示的実施形態において、装置は、接触入力２０２の受信と接触解除入力２０４の受信との間の時間を利用する。例えば、装置は、入力２００を、接触入力２０２と接触解除入力２０４との間の時間が短いタップとして、および／または接触入力２０２と接触解除入力２０４との間の時間がより長い押下として、および／またはそれに類するものとして、解釈し得る。
【００８６】
図２Ｂの例において、入力２２０は、接触入力２２２、移動入力２２４、および接触解除入力２２６の受信に関係する。入力２２０は、連続ストローク入力に関係する。この例において、接触入力２２２と接触解除入力２２６とは、それぞれ異なる位置で発生する。入力２２０は、１つの位置から別の位置への物体のドラッグ、スクロールバーの移動、仮想画面のパン、形状の描画、および／またはそれに類するものに関係し得る。一例示的実施形態において、装置は、移動２２４の速度に、少なくとも部分的に、基づき、入力２２０を解釈する。例えば、入力２２０が仮想画面のパンに関係する場合、パンの動きは、低速移動では小さく、高速移動では大きく、および／またはそれに類し得る。別の例示的実施形態において、装置は、入力２２０を接触入力２２２と接触解除入力２２６との間の距離に、少なくとも部分的に、基づき解釈する。例えば、入力２２０がボックスのサイズ変更などの変倍操作に関係する場合、変倍は接触入力２２２と接触解除入力２２６との間の距離に関係し得る。装置は、接触解除入力２２６を受信する前に、入力を解釈し得る。例えば、装置は、入力の速度、位置、および／またはそれに類するものなど、入力の変化を評価し得る。このような例において、装置は、タッチ入力の変化に基づき、１つ以上の判別を行い得る。このような例において、装置は、タッチ入力の変化に、少なくとも部分的に、基づき、テキスト選択箇所を修正し得る。
【００８７】
図２Ｃの例において、入力２４０は、図示のように、接触入力２４２、移動入力２４４、および接触解除入力２４６の受信に関係する。入力２４０は、連続ストローク入力に関係する。この例において、接触入力２４２と接触解除入力２４６とは、それぞれ異なる位置で発生する。入力２４０は、１つの位置から別の位置への物体のドラッグ、スクロールバーの移動、仮想画面のパン、形状の描画、および／またはそれに類するものに関係し得る。一例示的実施形態において、装置は、移動２４４の速度に、少なくとも部分的に、基づき、入力２４０を解釈する。例えば、入力２４０が仮想画面のパンに関係する場合、パンの動きは、低速移動では小さく、高速移動では大きく、および／またはそれに類し得る。別の例示的実施形態において、装置は、接触入力２４２と接触解除入力２４６との間の距離に、少なくとも部分的に、基づき、入力２４０を解釈する。例えば、入力２４０がボックスのサイズ変更などの変倍操作に関係する場合、変倍は接触入力２４２と接触解除入力２４６との間の距離に関係し得る。更に別の例示的実施形態において、装置は、接触解除入力の位置を解釈する。このような例において、装置は、タッチ入力の変化に、少なくとも部分的に、基づき、テキスト選択箇所を修正し得る。
【００８８】
図２Ｄの例において、入力２６０は接触入力２６２および移動入力２６４の受信に関係し、移動中に接触が解除される。入力２６０は、連続ストローク入力に関係する。入力２６０は、１つの位置から別の位置への物体のドラッグ、スクロールバーの移動、仮想画面のパン、形状の描画、および／またはそれに類するものに関係し得る。一例示的実施形態において、装置は、移動２６４の速度に、少なくとも部分的に、基づき、入力２６０を解釈する。例えば、入力２６０が仮想画面のパンに関係する場合、パンの動きは、低速移動では小さく、高速移動では大きく、および／またはそれに類し得る。別の例示的実施形態において、装置は、移動入力２６４に対応付けられた距離に、少なくとも部分的に、基づき、入力２６０を解釈する。例えば、入力２６０がボックスのサイズ変更などの変倍に関係する場合、変倍は、接触入力２６２から移動中の接触解除までの移動入力２６４の距離に関係し得る。少なくとも１つの例示的実施形態において、図２Ｄの例の入力は、スワイプ入力、フリック入力、および／またはそれに類する入力と称され得る。
【００８９】
一例示的実施形態において、装置は複数のタッチ入力を同時に受信し得る。例えば、或るタップ入力が或る位置で起こり、別のタップ入力が異なる位置で同時に起こり得る。別の例においては、或るタップ入力が或る位置で起こり、ドラッグ入力が異なる位置で起こり得る。装置は、この複数のタッチ入力を個別に、一緒に、および／またはこれらの組み合わせとして、解釈し得る。例えば、装置は複数のタッチ入力を、タッチ入力間の距離、互いに対する移動の速度、および／またはそれに類するものなど、を互いに関連付けて解釈し得る。
【００９０】
図２Ｅの例において、入力２８０は、接触入力２８２および２８８、移動入力２８４および２９０、および接触解除入力２８６および２９２の受信に関係する。入力２８０は、２つの連続ストローク入力に関係する。この例において、接触入力２８２および２８８と接触解除入力２８６および２９２とは、それぞれ異なる位置で発生する。入力２８０は、複合タッチ入力として特徴付けられ得る。入力２８０は、或る位置から別の位置への物体のドラッグ、スクロールバーの移動、仮想画面のパン、形状の描画、ユーザが選択した１つ以上のテキスト位置の表示、および／またはそれに類するものに関係し得る。一例示的実施形態において、装置は、移動２８４および２９０の速度に少なくとも部分的に基づき、入力２８０を解釈する。例えば、入力２８０が仮想画面のズームに関係する場合、ズームの動きは、低速移動では小さく、高速移動では大きく、および／またはそれに類し得る。別の例示的実施形態において、装置は、接触入力２８２および２８８と接触解除入力２８６および２９２との間の距離に、少なくとも部分的に、基づき、入力２８０を解釈する。例えば、入力２８０がボックスのサイズ変更などの変倍に関係する場合、変倍は、接触入力２８２および２８８と接触解除入力２８６および２９２との間の合計距離に関係し得る。
【００９１】
一例示的実施形態においては、装置が接触入力２８２および２８８、移動入力２８４および２９０、および接触解除入力２８６および２９２を受信するタイミングは変動する。例えば、装置による接触入力２８２の受信は、接触入力２８８の前、接触入力２８８の後、接触入力２８８と同時、および／またはそれに類し得る。装置は、これら入力の受信に対応付けられた関連タイミングを利用する場合もしない場合もあり得る。例えば、装置は、最初に受信した入力を、一次選択点、開始位置、および／またはそれに類するものなど、優先ステータスに対応付けることによって、この入力を利用し得る。別の例において、装置は、複数の非同時入力を同時に受信したかのように、これら入力を利用し得る。このような例において、装置は最初に受信した接触解除入力を、装置がこの入力を２番目に受信した場合に装置がこの入力を利用するのと同様に、利用し得る。
【００９２】
２つのタッチ入力に関係する側面、すなわち、移動方向、移動速度、接触入力位置、接触解除入力位置など、が異なっていても、この２つのタッチ入力は同様であり得る。例えば、接触入力、移動入力、および接触解除入力を含む第１のタッチ入力と、接触入力、移動入力、および接触解除入力を含む第２のタッチ入力とは、接触入力位置および接触解除入力位置が異なっていたとしても、同様であり得る。
【００９３】
図３Ａ〜３Ｂは、少なくとも１つの例示的実施形態によるドキュメントとの対話を示す図である。図３Ａ〜３Ｂの例は単なる例であり、特許請求の範囲を限定するものではない。例えば、コンテンツの表現は可変であり、対話要素は可変であり、向きは可変であり、および／またはそれに類するものも可変である。
【００９４】
電子装置が増えるに伴い、多くのユーザがドキュメントの読み取りおよび通読のために電子装置に依存している。例えば、多くのユーザは、電子書籍の読み取りおよび／または閲覧のために電子装置を利用する。ユーザが電子装置によってドキュメントのコンテンツを評価し得るさまざまなモードが存在する。例えば、ユーザは、ドキュメントを読む、ドキュメントの主題の全般的査定を得るためにドキュメントを閲覧する、および／またはそれに類することを行い得る。
【００９５】
少なくとも１つの例示的実施形態において、ドキュメントはコンテンツを含む。このコンテンツは、ユーザが読もうとするドキュメントの一部分に関係し得る。例えば、ドキュメントが電子書籍に関係する場合、電子書籍のコンテンツは、電子書籍の本体に関係し得る。別の例において、ドキュメントは、映画などのビデオ、の少なくとも一部分、に関係し得る。少なくとも１つの例示的実施形態において、ドキュメントのコンテンツは、非メタデータ情報に関係し得る。例えば、ドキュメントは、このドキュメントに関連して１つ以上のプログラムによって利用され得るメタデータ情報を含み得る。少なくとも１つの例示的実施形態において、装置は、ユーザへのメタデータ情報の提示を阻止し得る。例えば、装置は、ドキュメントが読み取りモード、閲覧モード、および／またはそれに類するモードによって見られているとき、メタデータ情報の表示の引き起こしを回避し得る。いくつかの実施形態は、本願明細書に記載の各動作が適用されるドキュメントの種類を制限し得ることを理解されたい。例えば、いくつかの実施形態は、電子書籍などのテキストドキュメントを含み、映画などのビデオドキュメントを除外し得る。別の例において、いくつかの実施形態は、ビデオドキュメントを含み、テキストドキュメントを除外し得る。
【００９６】
ドキュメントは、１つ以上のセクションを含み得る。少なくとも１つの例示的実施形態において、セクションは、当該セクションのコンテンツを当該ドキュメントの他のコンテンツから区別するコンテンツの区分に関係する。例えば、セクションは、チャプタ、アクト、サブチャプタ、ページ、および／またはそれに類するものに関係し得る。ドキュメントがビデオである場合、各セクションは、当該ビデオ内のさまざまなシーンおよび／またはチャプタに相当し得る。少なくとも１つの例示的実施形態において、装置は、ドキュメントのセクションの少なくとも一部分のコンテンツの表示を引き起こす。例えば、装置は、ドキュメントのセクションの一ページ、ドキュメントのセクションの複数ページ、ドキュメントの一ページの一部分、および／またはそれに類するもの表示を引き起こし得る。少なくとも１つの例示的実施形態において、装置は、ドキュメントのセクションのコンテンツ、の少なくとも一部分、が表示されていることを判定し得る。このような判定は、当該セクションのコンテンツの表示を引き起こした装置、当該セクションのコンテンツの表示を示す情報を受信する装置、および／またはそれに類するものに、少なくとも部分的に、基づき行われ得る。
【００９７】
少なくとも１つの例示的実施形態において、読み取りモードは、ドキュメントを読むユーザに適合するべく構成された装置の対話モードに関係する。読み取りモードは、ドキュメントの順次読み取りに一致するべくドキュメント内の順次進行を可能にするように、ドキュメントのコンテンツの表示を引き起こすことを特徴とし得る。状況によっては、読み取りモードは、ドキュメントの異なる部分への非順次移行を可能にし得る。例えば、ドキュメントの現在表示されている部分が当該ドキュメントの隣接セクションに隣接していない場合でも、装置は、当該ドキュメントの隣接セクションへの移行を可能にし得る。このような例において、装置は、ドキュメントの移行先部分からの当該ドキュメント内の進行を依然としてもたらし得る。読み取りモードにおいて、ユーザは、さまざまな入力によって、前進であろうと後退であろうと、当該セクションのコンテンツの隣接部分に進み得る。例えば、ユーザは、下方または左方へのドラッグ入力など、ドキュメント内の前進を示すドラッグ入力、スワイプ入力、および／またはそれに類すること、を行い得る。同様に、ユーザは、ドキュメント内の前進を示す領域、すなわち、表示されているコンテンツの底部領域または右方領域など、に対応付けられたタップ入力を行い得る。ただし、読み取り方向は、言語、読み取りスタイル、および／またはそれに類するものに基づき可変であることを理解されたい。ユーザは、電子書籍の閲覧と同様に、ビデオまたは映画を閲覧し得る。１つの実施形態において、ユーザは、一連のビデオキーフレームまたはＩフレームを描写する表示を用いたビデオストリーム内を閲覧できる。
【００９８】
図３Ａは、少なくとも１つの例示的実施形態によるドキュメント読み取りモードの対話３００を示す図である。図３Ａの例において、ドキュメント読み取りモードは、コンテンツ３０２の表示に関係する。コンテンツ３０２は、読み取られているドキュメントの一セクションの一部分に対応する。この読み取りモードは、ドキュメントに対応付けられた、著者「Ｃｈａｒｌｅｓ  Ｄｉｃｋｅｎｓ」などの、情報を表示することが分かる。このセクションの表題が「Ｔｈｅ  ｆｉｒｓｔ  ｏｆ  ｔｈｒｅｅ  ｓｐｉｒｉｔｓ」と表示されていることも分かる。このように、表示されているコンテンツの部分は、ドキュメント「Ａ  Ｃｈｒｉｓｔｍａｓ  Ｃａｒｏｌ」の「Ｔｈｅ  ｆｉｒｓｔ  ｏｆ  ｔｈｒｅｅ  ｓｐｉｒｉｔｓ」という表題のセクションのコンテンツの一部分に関係することが分かる。
【００９９】
少なくとも１つの例示的実施形態において、閲覧モードは、ユーザが、ドキュメントを必ずしも順次読まなくても、ドキュメントの複数の局面を観察できるように構成された装置の対話モードに関係する。例えば、装置は、ドキュメントのコンテンツ、および／またはドキュメントの一セクションのコンテンツ、および／またはそれに類するもの、の分類を示す情報の表示をもたらし得る。例えば、閲覧モードは、セクション情報、ページカウント情報、ドキュメント位置情報、および／またはそれに類するもの、を提供し得る。多くの状況において、ユーザが閲覧モードによってドキュメントとの対話を望み得るのは、ユーザが既に読んだドキュメントの一部分をもう一度見たいとき、ユーザがドキュメントの一部分を予め見たいとき、ユーザがドキュメントの一部分の概要を手短に得たいとき、および／またはそれに類するときである。状況によっては、読み取りモードと閲覧モードとの間の容易に認識可能な違いを提供することによって、ユーザが閲覧モードにおいてドキュメントのコンテンツを順次読み取る必要性を感じないようにすることが望ましい場合もある。例えば、閲覧モードにおいてはドキュメントのコンテンツの順次表示を回避することが望ましい場合もある。
【０１００】
図３Ｂは、少なくとも１つの例示的実施形態によるドキュメント閲覧モードの対話３２０を示す図である。図３Ｂの例において、閲覧モード３２０は、書籍の表現３２２と位置スライダ３２４とを含む。少なくとも１つの例示的実施形態において、書籍の表現は、ユーザが現在閲覧中の位置に対応付けられたドキュメント内の位置の視覚表示を提供し得る。同様に、位置スライダ３２４は、ドキュメント内の位置を位置インジケータ３２６によって示し得る。少なくとも１つの例示的実施形態において、ドキュメント内の進行は非順次であり得る。例えば、ドキュメント内の進行は、当該ドキュメントの一部分から当該ドキュメントの別の部分まで、当該ドキュメントの当該一部分と当該別の部分との間の中間部分を省くように、移行することを含み得る。閲覧モードにおいて、ユーザは、さまざまな入力によって、当該セクションのコンテンツの別の部分に前進または後退し得る。例えば、ユーザは、下方または左方へのドラッグ入力など、ドキュメント内の前進を示すドラッグ入力、スワイプ入力、装置変形入力、モーション入力、オーディオ入力、および／またはそれに類する入力を行い得る。同様に、ユーザは、表示されているコンテンツの底部領域または右方領域など、ドキュメント内の前進を示す領域に対応付けられたタップ入力を行い得る。ただし、読み取り方向は、言語、読み取りスタイル、および／またはそれに類するものに基づき可変であることを理解されたい。図３Ｂの例がセクションアイデンティティ、著者、および／またはそれに類するものなどの情報を示していないとしても、さまざまな実施形態は、図３Ｂの例に示されている情報より多くの、または少ない、情報を提供し得る。
【０１０１】
図３Ａ〜３Ｂの例がテキストドキュメントに関係しているとしても、ビデオのレンダリングに関係するドキュメントレンダリングモードもあり得ることを理解されたい。例えば、ビデオプレーヤインタフェースに関係するドキュメントレンダリングモードが存在し得る。ビデオプレーヤインタフェースは、ビデオの少なくとも一部分の再生をもたらし得る。
【０１０２】
図４Ａ〜４Ｂは、少なくとも１つの例示的実施形態によるドキュメントコンテンツを示す図である。図４Ａ〜４Ｂの例は、単なる例であり、特許請求の範囲を限定するものではない。例えば、コンテンツの構成は可変であり、コンテンツの実体は可変であり、コンテンツに含まれる情報は可変であり、および／またはそれに類し得る。
【０１０３】
多くの状況において、一ドキュメントのさまざまな部分を識別することが望ましい場合もある。例えば、ドキュメントは、１つ以上のキャラクタ、および／または１つ以上の場所、および／またはそれに類するもの、に関する物語であり得る。このような状況においては、このような複数のキャラクタおよび／または複数の場所のアイデンティティを判別することが望ましい場合もある。例えば、装置は、場所、キャラクタ、および／またはそれに類するものを示す情報を提供することによって、見る人が文脈を知覚し易くすることが望ましい場合もある。
【０１０４】
少なくとも１つの例示的実施形態において、装置は、少なくとも１つのキャラクタアイデンティティを判別する。キャラクタアイデンティティは、ドキュメントのコンテンツに表現された１つ以上のキャラクタを識別する情報に関係し得る。例えば、キャラクタアイデンティティは、当該キャラクタアイデンティティに対応付けられたキャラクタの名前に関係し得る。例えば、キャラクタは、ドキュメントの文学の登場人物であり得る。少なくとも１つの例示的実施形態において、キャラクタアイデンティティは、現在表示されているセクションのコンテンツに関連する。例えば、セクションのコンテンツに関連するキャラクタアイデンティティは、当該セクションのコンテンツの少なくとも一部分によって表現されている当該キャラクタアイデンティティのキャラクタに関係し得る。このような例において、キャラクタは、表示されているセクションの中で述べられることも、当該セクションのコンテンツによって記述されている情報に関連があることも、および／またはそれに類することもあり得る。ドキュメントがビデオに関係する場合、キャラクタは、シーンに現在関与している登場人物に関係し得る。ビデオの各フレームにおいて、キャラクタは、ビデオの視野角によっては、視覚フレーム内に見えることも見えないこともある。
【０１０５】
少なくとも１つの例示的実施形態において、装置は、少なくとも１つの場所アイデンティティを判別する。場所アイデンティティは、ドキュメントのコンテンツによって示される１つ以上の場所を識別する情報に関係し得る。例えば、場所アイデンティティは、この場所アイデンティティに対応付けられた場所の名前に関係し得る。場所アイデンティティは、都市、地方、国、ランドマーク、地理学的要素、および／またはそれに類するものに関係し得る。場所は、ドキュメントによって言及される架空または非架空の場所であり得る。少なくとも１つの例示的実施形態において、場所アイデンティティは現在表示されているセクションのコンテンツに関連がある。例えば、セクションのコンテンツに関連する場所アイデンティティは、キャラクタアイデンティティによって示されるキャラクタの場所を示す場所アイデンティティに関係し得る。このような例において、キャラクタアイデンティティによって示されるキャラクタの場所を示す場所アイデンティティは、ドキュメントのコンテンツの少なくとも一部分によって、および／またはドキュメントの現在表示されているセクションの一部分によって、および／またはそれに類するものによって、場所に対応付けて描写されているキャラクタに関係し得る。このような例において、キャラクタアイデンティティは、表示されているセクションの中で場所アイデンティティに関連付けて述べられ得る、および／またはセクションのコンテンツによって記述される情報に関連があり得る、および／またはそれに類し得る。
【０１０６】
状況によっては、装置は、キャラクタアイデンティティを識別するドキュメントの非メタデータコンテンツを識別することによって、キャラクタアイデンティティを判別することが望ましい場合もある。少なくとも１つの例示的実施形態において、非メタデータコンテンツは、キャラクタアイデンティティを識別する非メタデータテキスト情報に関係する。状況によっては、装置は、一キャラクタアイデンティティに対応する可能性がある複数の単語を識別し得る、および／またはドキュメントの非メタデータコンテンツの中で認識されるキャラクタアイデンティティのリストを利用し得る、および／またはそれに類することを行い得る。例えば、ドキュメントは、このドキュメントの１つ以上のセクションの中に存在し得るキャラクタアイデンティティのリストを含むメタデータを含み得る。このような例において、キャラクタアイデンティティに対応し得る非メタデータコンテンツの諸要素、すなわち、部分名、愛称、代替アイデンティティ、および／またはそれに類するものなど、を識別するために、装置はメタデータを利用し得る。これにより、装置は、ドキュメントの一セクションに関連する、および／またはドキュメントの一セクションの一部分に関連する、および／またはそれに類する、複数のキャラクタアイデンティティを自動的に判別し得る。同様に、ビデオまたは映画は、各シーンに存在する各キャラクタを記述するメタデータを伴い得る。
【０１０７】
状況によっては、装置は、場所アイデンティティを識別するドキュメントの非メタデータコンテンツを識別することによって、この場所アイデンティティを判別することが望ましい場合もある。少なくとも１つの例示的実施形態において、非メタデータコンテンツは、場所アイデンティティを識別する非メタデータテキスト情報に関係する。状況によっては、装置は、一場所アイデンティティに対応する可能性がある複数の単語を識別し得る、および／またはドキュメントの非メタデータコンテンツ内で認識される場所アイデンティティのリストを利用し得る、および／またはそれに類することを行い得る。例えば、ドキュメントは、このドキュメントの１つ以上のセクションの中に存在し得る場所アイデンティティのリストを含むメタデータを含み得る。これにより、装置は、ドキュメントの一セクションに関連する、および／またはドキュメントの一セクションの一部分に関連する、および／またはそれに類する、場所アイデンティティを自動的に判別し得る。
【０１０８】
図４Ａは、少なくとも１つの例示的実施形態によるドキュメントコンテンツを示す図である。図４Ａの例に示されているドキュメントのセクションのコンテンツは、「Ｔｅｍｐｌｅ  Ｂａｒ」という場所に関係する場所アイデンティティ４０２を含み、更に「Ｊｅｒｒｙ  Ｃｒｕｎｃｈｅｒ」というキャラクタに関係するキャラクタアイデンティティ４０４を含むことが分かる。少なくとも１つの例示的実施形態において、場所アイデンティティ４０２とキャラクタアイデンティティ４０４とを取り囲むコンテンツの文脈によって、および／または場所アイデンティティ４０２とキャラクタアイデンティティ４０４との間が近いことによって、および／またはそれに類することによって、装置は場所アイデンティティ４０２がキャラクタアイデンティティ４０４に関連があると判定し得る。
【０１０９】
状況によっては、キャラクタアイデンティティ、および／または場所アイデンティティ、および／またはそれに類するもの、を識別するメタデータがドキュメントに含まれることが望ましい場合もある。状況によっては、このメタデータは、キャラクタアイデンティティに対する場所アイデンティティの関連性を示し得る。これにより、場所アイデンティティ、および／またはキャラクタアイデンティティ、および／またはそれに類するもの、によってドキュメントの１つ以上のセクションが分類され得る。状況によっては、装置は、上記の非メタデータコンテンツの分析によって、メタデータを導入し得る。状況によっては、メタデータは、ドキュメントの出版者によって、ドキュメントに含められ得る。状況によっては、メタデータは、販売代理店によって、すなわち、電子書籍または映画の販売者／販売代理店などによって、ドキュメントに含められ得る。状況によっては、電子ドキュメント用のメタデータを提供するサービスなど、別個のエンティティが存在し得る。
【０１１０】
少なくとも１つの例示的実施形態において、キャラクタアイデンティティの判別は、このキャラクタアイデンティティを表す少なくとも１つのメタデータ要素の識別を含む。例えば、メタデータ要素は、表示されているドキュメントのセクションに対応付けられていることもあり得るので、装置は、キャラクタアイデンティティを表すメタデータ要素を見つけることによって、キャラクタアイデンティティを判別し得る。
【０１１１】
少なくとも１つの例示的実施形態において、場所アイデンティティの判別は、場所アイデンティティを表す少なくとも１つのメタデータ要素の識別を含む。例えば、メタデータ要素は、表示されているドキュメントのセクションに対応付けられていることもあり得るので、装置は、場所アイデンティティを表すメタデータ要素を見つけることによって、場所アイデンティティを判別し得る。
【０１１２】
図４Ｂは、少なくとも１つの例示的実施形態によるドキュメントメタデータに関連付けてドキュメントコンテンツを示す図である。図４Ｂの例において、コンテンツは、「Ｔｅｍｐｌｅ  Ｂａｒ」の場所識別子を識別するメタデータ４２２を含む。メタデータ４２２の例において、このメタデータは、「Ｔｅｍｐｌｅ  Ｂａｒ」に関係する複数の代替場所アイデンティティを含む。例えば、これら複数の代替場所アイデンティティは、粒度レベルがそれぞれ異なる複数の代替場所アイデンティティに関係し得る。例えば、「Ｔｅｍｐｌｅ  Ｂａｒ」は、Ｌｏｎｄｏｎ内に存在し得る。Ｌｏｎｄｏｎは、Ｅｎｇｌａｎｄ内に存在し得る。図４Ｂの例において、コンテンツは、「Ｊｅｒｒｙ  Ｃｒｕｎｃｈｅｒ」のキャラクタ識別子を識別するメタデータ４２４を含む。キャラクタ識別子はファーストネームとラストネームとを含むが、対応する非メタデータコンテンツはキャラクタアイデンティティのラストネームを含まないことが分かる。このように、コンテンツアイデンティティのメタデータは、非メタデータコンテンツの情報以上の情報を含み得る。
【０１１３】
図４Ａ〜４Ｂの例はテキストドキュメントに関係しているが、同様の例がビデオドキュメントにも適用され得る。例えば、キャラクタおよび／または場所を識別するために、装置は音声認識、顔認識、物体認識、および／またはそれに類するものを利用し得る。このように、テキストドキュメントに関して説明されている各例は、ビデオドキュメントにも関係し得る。
【０１１４】
図５Ａ〜５Ｃは、少なくとも１つの例示的実施形態による場所アイデンティティの視覚表現を示す図である。図５Ａ〜５Ｃの例は、単なる例であり、特許請求の範囲を限定するものではない。例えば、情報の表現は可変であり、視覚表現の形式は可変であり、向きは可変であり、および／またはそれに類するものも可変である。
【０１１５】
多くの状況においては、電子書籍などのドキュメントのために視覚化方式を提供することが望ましい場合もある。例えば、ユーザが或るドキュメントの各ページを閲覧するとき、このドキュメントのコンテンツ内の現在の場所に対応する事象の設定を描写するために視覚化が行われ得る。ユーザによるドキュメントのセクションの理解を助け得るさまざまな種類の視覚化が存在し得る。例えば、ドキュメントの当該セクションに関連する地図上のキャラクタの場所をユーザに識別させる地図に基づく視覚化が存在し得る。別の例において、キャラクタを含むシーンの描写によってキャラクタの複数の場所をユーザに識別させるシーンに基づく視覚化が存在し得る。
【０１１６】
例えば、或るユーザが数か月前に読み始めた電子書籍「Ｌｏｒｄ  ｏｆ  ｔｈｅ  Ｒｉｎｇｓ」を引き続き読みたい場合もあり得る。このユーザは、この電子書籍の閲覧を開始し得る。このユーザは、閲覧している電子書籍のセクションに出現するキャラクタアイデンティティの数、キャラクタアイデンティティの場所、および／またはそれに類するもの、を示す閲覧モードの対話で現れる視覚化の恩恵を受け得る。このような視覚化によってユーザは電子書籍の特定のセクション（例えば、ＦｒｏｄｏとＧａｎｄａｌｆの両者が探索を完了するために岸まで移動するセクション）をより容易に見付け得る、および／または電子書籍の一部分をより容易に思い出し得る（例えば、Ｆｒｏｄｏの旅の進行に関するユーザの記憶を新たにする）、および／またはそれに類することを容易に行い得る。
【０１１７】
ドキュメントが実世界環境に関する場合、地図の視覚化のベースとして地図サービスが使用され得る。このような視覚化においては、複数の場所アイデンティティと複数のキャラクタアイデンティティとが表現され得る。ドキュメントが架空の場所に関する場合、視覚化の地図は、ドキュメントの出版者によって提供された地図情報に、少なくとも部分的に、基づき得る。
【０１１８】
状況によっては、視覚化は、キャラクタを含むシーンの描写によって、そのキャラクタの複数の場所を識別することが望ましい場合もある。例えば、ドキュメント内に存在しない場所を視覚化するために、または地図の補完として、一場所アイデンティティを示す一シーンを含む複数の画像が使用され得る。このように、各場所アイデンティティは、各場所アイデンティティに、少なくとも部分的に、基づき、画像を取得するためのウェブでの画像検索のための少なくとも部分的なベースとして使用され得る。少なくとも１つの例示的実施形態において、シーンの描写は、ドキュメントの出版者によって提供された情報に、少なくとも部分的に、基づき得る。
【０１１９】
少なくとも１つの例示的実施形態において、場所アイデンティティの少なくとも１つの視覚表現がキャラクタアイデンティティの視覚表現を含むように、装置は場所アイデンティティの少なくとも１つの視覚表現を決定する。キャラクタアイデンティティの視覚表現は、キャラクタアイデンティティと場所アイデンティティとの間の関係を示し得る。キャラクタアイデンティティの視覚表現は、キャラクタアイデンティティのテキスト表現、アイコン、および／またはそれに類するものに関係し得る。キャラクタアイデンティティの視覚表現は、このキャラクタアイデンティティのキャラクタの画像に関係し得る。少なくとも１つの例示的実施形態において、装置は、キャラクタアイデンティティの視覚表現を決定する。例えば、装置は、インターネットサーチエンジンによってキャラクタの画像の検索を行い得る。この検索は、キャラクタアイデンティティに、少なくとも部分的に、基づき得る。少なくとも１つの例示的実施形態において、装置は、この検索に、少なくとも部分的に、基づき、１つ以上の画像を受信し得る。例えば、装置は、この検索に関連して受信した１つ以上の画像を当該キャラクタアイデンティティのキャラクタの画像として選択し得る。
【０１２０】
少なくとも１つの例示的実施形態において、キャラクタアイデンティティと場所アイデンティティとの間の関係の表示は、場所アイデンティティの視覚表現における場所アイデンティティの場所に対応するキャラクタアイデンティティの視覚表現に関係する。例えば、場所が場所アイデンティティに対応するように、キャラクタアイデンティティの視覚表現はキャラクタアイデンティティの場所の境界を画定し得る。
【０１２１】
少なくとも１つの例示的実施形態において、場所アイデンティティは地図上の場所に関係する。このような例において、場所アイデンティティの視覚表現は、当該場所アイデンティティを含む地図に関係し得る。地図の決定は、図９、図１０、および／またはそれに類するものに関して説明した決定と同様であり得る。少なくとも１つの例示的実施形態において、キャラクタアイデンティティと場所アイデンティティとの間の関係の表示は、当該場所アイデンティティの視覚表現における当該場所アイデンティティの場所に対応する当該キャラクタアイデンティティの視覚表現に関係する。例えば、場所アイデンティティの視覚表現は、当該場所アイデンティティに対応する場所において地図に重なるキャラクタアイデンティティの視覚表示を含み得る。
【０１２２】
図５Ａは、少なくとも１つの例示的実施形態による場所アイデンティティ５００の視覚表現を示す図である。少なくとも１つの例示的実施形態において、図５Ａの例は、図４Ａ、図４Ｂの例のコンテンツ、および／またはそれに類するものに関係する。図５Ａの視覚表現は、Ｌｏｎｄｏｎ内の「Ｔｅｍｐｌｅ  Ｂａｒ」の場所を示す地図に関係することが分かる。キャラクタアイデンティティ５０２の視覚表現は、場所アイデンティティ５００の視覚表現の中の「Ｔｅｍｐｌｅ  Ｂａｒ」の場所に対応するべく配置されていることが分かる。これにより、場所アイデンティティ５００の視覚表現は、キャラクタアイデンティティ「Ｊｅｒｒｙ  Ｃｒｕｎｃｈｅｒ」が「Ｔｅｍｐｌｅ  Ｂａｒ」の地図上の場所にあることを示す。
【０１２３】
少なくとも１つの例示的実施形態において、装置は、場所アイデンティティの視覚表現に含まれる一シーンの一画像を決定する。シーンの画像の決定は、図１１に関して説明されているもの、および／またはそれに類するもの、と同様であり得る。少なくとも１つの例示的実施形態において、キャラクタアイデンティティと場所アイデンティティとの間の関係の表示は、画像のシーン内に存在するキャラクタアイデンティティの視覚表現に関係する。例えば、装置は、キャラクタアイデンティティの視覚表現をシーンの画像に重ね得る。
【０１２４】
図５Ｂは、少なくとも１つの例示的実施形態による場所アイデンティティ５２０の視覚表現を示す図である。少なくとも１つの例示的実施形態において、図５Ｂの例は、図４Ａ、図４Ｂの例のコンテンツ、および／またはそれに類するもの、に関係する。図５Ｂの視覚表現は、Ｌｏｎｄｏｎ内の「Ｔｅｍｐｌｅ  Ｂａｒ」におけるシーンを示す画像に関係することが分かる。キャラクタアイデンティティ５２２の視覚表現は、場所アイデンティティ５２０の視覚表現の中の「Ｔｅｍｐｌｅ  Ｂａｒ」のシーンに対応するべく配置されていることが分かる。このように、場所アイデンティティ５２０の視覚表現は、キャラクタアイデンティティ「Ｊｅｒｒｙ  Ｃｒｕｎｃｈｅｒ」が「Ｔｅｍｐｌｅ  Ｂａｒ」の場所にあることを示す。
【０１２５】
状況によっては、ドキュメントは、特定範囲内の複数の場所に関連して複数のキャラクタを記述し得る。例えば、ドキュメントは、或るキャラクタを或る場所に関連させて記述し、別のキャラクタを別の場所に関連させて記述し得る。別の例において、ドキュメントは、ある場所から別の場所に移行するキャラクタを記述し得る。このような状況において、地図によって示される書籍のセクションに関係する場所の範囲を含めるべく地図の表現を整形することが望ましい場合もある。例えば、地図のズームレベルの変更、および／または地図のトリミング、および／またはそれに類すること、を行うことが望ましい場合もある。
【０１２６】
少なくとも１つの例示的実施形態において、場所情報の視覚表現は、複数の場所アイデンティティに関係する。このような例において、装置は、複数の場所アイデンティティを含む地図表現を決定し得る。例えば、装置は、複数の場所アイデンティティを地図に含めるべくズームアウト操作を行い得る、および／または当該複数の場所アイデンティティに関連がない場所アイデンティティを地図から除外するべくズームイン操作を行い得る、および／またはそれに類する操作を行い得る。
【０１２７】
少なくとも１つの例示的実施形態において、装置は、第１の場所アイデンティティに関係付けられた第１のキャラクタアイデンティティと、第２の場所アイデンティティに関係付けられた第２のキャラクタアイデンティティとを判別する。このような例において、第２の場所アイデンティティの視覚表現が第２のキャラクタアイデンティティと第２の場所アイデンティティとの間の関係を示す第２のキャラクタアイデンティティの視覚表現を含むように、第１の場所アイデンティティの視覚表現は第２の場所アイデンティティの視覚表現を含み得る。例えば、第１の場所アイデンティティおよび第２の場所アイデンティティは、それぞれ地図上の場所に関係し得るので、第１の場所アイデンティティの視覚表現は、第１の場所アイデンティティと第２の場所アイデンティティとを含む地図に関係し得る。このような例において、第２のキャラクタアイデンティティと第２の場所アイデンティティとの間の関係の表示は、第２の場所アイデンティティの視覚表現における第２の場所アイデンティティの場所に対応する第２のキャラクタアイデンティティの視覚表現に関係し得る。このような例において、第１の場所アイデンティティの視覚表現の決定は、地図のズームレベル、地図の領域のトリミング、および／またはそれに類することの決定を含み得る。このような決定は、得られた地図が第１の場所アイデンティティと第２の場所アイデンティティとを含むように行われ得る。
【０１２８】
図５Ｃは、少なくとも１つの例示的実施形態による場所アイデンティティ５４０の視覚表現を示す図である。図５Ｃの視覚表現は、場所アイデンティティ「Ｌｏｎｄｏｎ」と場所アイデンティティ「Ｐａｒｉｓ」とを含む地図に関係することが分かる。キャラクタアイデンティティ５４２の視覚表現は、この地図内の「Ｌｏｎｄｏｎ」という場所に対応するべく配置されている。これにより、場所アイデンティティ５４０の視覚表現は、キャラクタアイデンティティ「Ｓｙｄｎｅｙ  Ｃａｒｔｏｎ」が「Ｌｏｎｄｏｎ」という場所にあることを示す。キャラクタアイデンティティ５４４の視覚表現は、この地図内の「Ｐａｒｉｓ」という場所に対応するべく配置されていることが分かる。これにより、場所アイデンティティ５４０の視覚表現は、キャラクタアイデンティティ「Ｃｈａｒｌｅｓ  Ｄａｒｎａｙ」が「Ｐａｒｉｓ」という場所にあることを示す。図５Ｃの例において、場所アイデンティティ５４０の視覚表現を決定するために、装置は地図のズームレベルを変えている場合もある。図５Ｃの例において、場所アイデンティティ５４０の視覚表現を決定するために、装置は地図をトリミングしている場合もある。
【０１２９】
図６は、少なくとも１つの例示的実施形態による場所アイデンティティおよびキャラクタアイデンティティの視覚表現の決定に対応付けられたアクティビティを示す流れ図である。少なくとも１つの例示的実施形態において、図６のアクティビティに対応する一組の動作が存在する。装置、例えば図１の電子装置１０、またはその一部分、は、この一組の動作を利用し得る。本装置は、このような動作を実行するための手段、例えば図１のプロセッサ１１など、を備え得る。一例示的実施形態において、装置、例えば図１の電子装置１０、は、プロセッサ、例えば図１のプロセッサ１１、と協働して、図６の一組の動作をこの装置に行わせるように構成されたコンピュータコードを備えたメモリ、例えば図１のメモリ１２、を設けることによって改造される。
【０１３０】
ブロック６０２において、装置は、或るドキュメントの或るセクションのコンテンツ、の少なくとも一部分、が表示されていることを判定する。この判定、コンテンツ、セクション、およびドキュメントは、図３Ａ〜３Ｂに関して説明したもの、および／またはそれに類するもの、と同様であり得る。
【０１３１】
ブロック６０４において、装置は、少なくとも１つのキャラクタアイデンティティを判別する。この判別およびキャラクタアイデンティティは、図４Ａ〜４Ｂに関して説明したもの、および／またはそれに類するものと同様であり得る。少なくとも１つの例示的実施形態において、キャラクタアイデンティティは、当該セクションのコンテンツに関連する。例えば、装置は、キャラクタアイデンティティの判別を、当該キャラクタアイデンティティがドキュメントの当該セクションに含まれているとの判定に、少なくとも部分的に、基づかせ得る。
【０１３２】
ブロック６０６において、装置は、当該セクションによって示されている少なくとも１つの場所アイデンティティを判別する。この判別および場所アイデンティティは、図４Ａ〜４Ｂに関して説明したもの、および／またはそれに類するもの、と同様であり得る。少なくとも１つの例示的実施形態において、場所アイデンティティは、キャラクタアイデンティティによって示されているキャラクタの場所を示す。少なくとも１つの例示的実施形態において、装置は、当該セクションのコンテンツによって示されている少なくとも１つの場所アイデンティティを判別する。
【０１３３】
ブロック６０８において、装置は、場所アイデンティティの少なくとも１つの視覚表現がキャラクタアイデンティティと場所アイデンティティとの間の関係を示すキャラクタアイデンティティの視覚表現を含むように、当該場所アイデンティティの少なくとも１つの視覚表現を決定する。この決定、場所アイデンティティの視覚表現、キャラクタアイデンティティの視覚表現、および関係は、図５Ａ〜５Ｃに関して説明したもの、および／またはそれに類するもの、と同様であり得る。
【０１３４】
図７は、少なくとも１つの例示的実施形態による場所アイデンティティおよびキャラクタアイデンティティの視覚表現の決定に対応付けられたアクティビティを示す流れ図である。少なくとも１つの例示的実施形態において、図７のアクティビティに対応する一組の動作が存在する。装置、例えば図１の電子装置１０、またはその一部分、は、この一組の動作を利用し得る。装置は、このような動作を実行するための手段、例えば図１のプロセッサ１１など、を備え得る。一例示的実施形態において、装置、例えば図１の電子装置１０、は、プロセッサ、例えば図１のプロセッサ１１、と協働して、図７の一組の動作をこの装置に行わせるように構成されたコンピュータコードを備えたメモリ、例えば図１のメモリ１２、を設けることによって改造される。
【０１３５】
状況によっては、装置は、場所アイデンティティの視覚表現の表示を引き起こし得る。閲覧モード中、および／または読み取りモード中、および／またはそれに類するとき、装置は場所アイデンティティの視覚表現の表示を引き起こし得る。例えば、装置は、表示の引き起こしを閲覧モードに制限し得る、および／または非閲覧モードにおいて表示の引き起こしを許容し得る、および／またはそれに類することを行い得る。
【０１３６】
ブロック７０２において、図６のブロック６０２に関して説明したのと同様に、装置はドキュメントの一セクションのコンテンツ、の少なくとも一部分、が表示されていることを判定する。ブロック７０４において、図６のブロック６０４に関して説明したのと同様に、装置は少なくとも１つのキャラクタアイデンティティを判別する。ブロック７０６において、図６のブロック６０６に関して説明したのと同様に、装置は当該セクションによって示されている少なくとも１つの場所アイデンティティを判別する。ブロック７０８において、図６のブロック６０８に関して説明したのと同様に、装置は、場所アイデンティティの少なくとも１つの視覚表現がキャラクタアイデンティティと場所アイデンティティとの間の関係を示すキャラクタアイデンティティの視覚表現を含むように、当該場所アイデンティティの少なくとも１つの視覚表現を決定する。
【０１３７】
ブロック７１０において、装置は、場所アイデンティティの視覚表現の表示を引き起こす。場所アイデンティティの視覚表現の表示の引き起こしは、場所アイデンティティの視覚表現を表示すること、および／または場所アイデンティティの視覚表現の表示を外部装置に行わせる情報をこの外部装置に送信すること、および／またはそれに類することを含み得る。少なくとも１つの例示的実施形態において、場所アイデンティティの視覚表現の表示は、表示されているセクションの部分の至近距離に位置するべく引き起こされる。例えば、装置は、場所アイデンティティの視覚表現の表示を図３Ａのコンテンツ３０２の至近距離に、および／または図３Ｂの書籍表現３２２の至近距離に、および／またはそれに類する位置に、引き起こし得る。少なくとも１つの例示的実施形態において、場所アイデンティティの視覚表現の表示は、当該セクションの当該部分の上方に位置するべく引き起こされる。例えば、本装置は、場所アイデンティティの視覚表現の表示を図３Ａのコンテンツ３０２の上方に、および／または図３Ｂの書籍表現３２２の上方に、および／またはそれに類する位置に、引き起こし得る。
【０１３８】
図８は、少なくとも１つの例示的実施形態による場所アイデンティティおよびキャラクタアイデンティティの視覚表現の決定に対応付けられたアクティビティを示す流れ図である。少なくとも１つの例示的実施形態において、図８のアクティビティに対応する一組の動作が存在する。装置、例えば図１の電子装置１０、またはその一部分、は、この一組の動作を利用し得る。装置は、このような動作を実行するための手段、例えば図１のプロセッサ１１など、を備え得る。一例示的実施形態において、装置、例えば図１の電子装置１０、は、プロセッサ、例えば図１のプロセッサ１１、と協働して、図８の一組の動作をこの装置に行わせるように構成されたコンピュータコードを備えたメモリ、例えば図１のメモリ１２、を設けることによって改造される。
【０１３９】
状況によっては、特定の入力によって場所アイデンティティの視覚表現の表示が開始される、および／または場所アイデンティティの視覚表現の決定が引き起こされる、および／またはそれに類することが行われる、ことが望ましい場合もある。例えば、ユーザがディスプレイとの接触を維持し続けているときに、場所アイデンティティの視覚表現の表示を引き起こすドラッグタッチ入力をユーザが行えることが望ましい場合もある。このような例において、ユーザは、閲覧モードの利用を指定する入力を行い得る。
【０１４０】
少なくとも１つの例示的実施形態において、装置はドキュメント閲覧入力を示す情報を受信する。このような例において、場所アイデンティティの視覚表現の表示の引き起こしは、ドキュメント閲覧入力に、少なくとも部分的に、基づき得る。例えば、場所アイデンティティの視覚表現の表示の引き起こしは、ドキュメント閲覧入力によって引き起こされ得る。ドキュメント閲覧入力は、閲覧モードに対応付けられた入力であれば何れの入力でもよい。例えば、ドキュメント閲覧入力は、閲覧モードを起動する、および／または表示されるドキュメントのセクションのコンテンツの部分を切り替える、および／または表示されているドキュメントのセクションを切り替える、および／またはそれに類することを行う、入力に関係し得る。少なくとも１つの例示的実施形態において、ドキュメント閲覧入力は、読み取りナビゲーション入力とは異なる。読み取りナビゲーション入力は、読み取り中のドキュメントのナビゲーションに対応付けられた入力に関係し得る。例えば、読み取りナビゲーション入力は、読み取りモードを起動する、および／または表示されるドキュメントのセクションのコンテンツの部分を切り替える、および／または表示されているドキュメントのセクションを切り替える、および／またはそれに類することを行う、入力に関係し得る。
【０１４１】
少なくとも１つの例示的実施形態において、ドキュメント閲覧入力は、連続ストローク入力に関係する。連続ストローク入力は、図２Ａ〜２Ｅに関して説明したもの、および／またはそれに類するもの、と同様であり得る。このような例において、場所アイデンティティの視覚表現の表示の引き起こしは、連続ストローク入力の接触に対応する。例えば、接触入力を受信すると、装置は場所アイデンティティの視覚表現の表示を引き起こし得る。少なくとも１つの例示的実施形態において、連続ストローク入力は、接触入力と接触解除入力とを含む。このような例において、場所情報の視覚表現の表示の引き起こしは、接触入力に対応する。例えば、装置は、表示の終了が接触解除入力に対応するように、場所アイデンティティの視覚表現の表示の終了を引き起こし得る。
【０１４２】
ブロック８０２において、装置は、ドキュメント閲覧入力を示す情報を受信する。ブロック８０４において、図６のブロック６０２に関して説明したのと同様に、装置はドキュメントのセクションのコンテンツ、の少なくとも一部分、が表示されていることを判定する。ブロック８０６において、図６のブロック６０４に関して説明したのと同様に、装置は少なくとも１つのキャラクタアイデンティティを判別する。ブロック８０８において、図６のブロック６０６に関して説明したのと同様に、装置はセクションによって示されている少なくとも１つの場所アイデンティティを判別する。ブロック８１０において、図６のブロック６０８に関して説明したのと同様に、場所アイデンティティの少なくとも１つの視覚表現がキャラクタアイデンティティと場所アイデンティティとの間の関係を示すキャラクタアイデンティティの視覚表現を含むように、装置は当該場所アイデンティティの視覚表現を決定する。ブロック８１２において、図７のブロック７１０に関して説明したのと同様に、装置は場所アイデンティティの視覚表現の表示を引き起こす。
【０１４３】
図９は、少なくとも１つの例示的実施形態による場所アイデンティティおよびキャラクタアイデンティティの視覚表現の決定に対応付けられたアクティビティを示す流れ図である。少なくとも１つの例示的実施形態において、図９のアクティビティに対応する一組の動作が存在する。装置、例えば図１の電子装置１０、またはその一部分、は、この一組の動作を利用し得る。装置は、このような動作を実行するための手段、例えば図１のプロセッサ１１など、を備え得る。一例示的実施形態において、装置、例えば図１の電子装置１０、は、プロセッサ、例えば図１のプロセッサ１１、と協働して、図９の一組の動作をこの装置に行わせるように構成されたコンピュータコードを備えたメモリ、例えば図１のメモリ１２、を設けることによって改造される。
【０１４４】
状況によっては、装置は、場所アイデンティティの視覚表現のために利用する地図を取得することが望ましい場合もある。例えば、場所アイデンティティに対応する地図が装置にない場合もあり得るので、装置は地図を別個のソースから取得できると有利であり得る。
【０１４５】
少なくとも１つの例示的実施形態において、装置は、当該場所アイデンティティおよび他の場所アイデンティティに、少なくとも部分的に、基づき、地図を取得する。例えば、場所アイデンティティは非架空の場所に関係し得る。このような例において、地図の取得は、地図サービスからの地図の取得を含む。地図サービスは、地図情報を提供するサービスに関係し得る。例えば、地図サービスは、地図サーバの地図情報に対応する場所情報を特定する検索クエリへの応答として地図情報を提供する地図サーバに関係し得る。このような例において、サーバは、検索クエリへの応答として、検索クエリによって指示された地図情報を含む少なくとも１つの地図を提供し得る。このように、装置は、場所アイデンティティに、少なくとも部分的に、基づき、地図を取得し得る。このような例において、装置は、場所アイデンティティを特定する検索クエリを地図サービスに送信することによって、地図サービスからの地図の取得を行い得る。
【０１４６】
ブロック９０２において、図６のブロック６０２に関して説明したのと同様に、装置はドキュメントのセクションのコンテンツ、の少なくとも一部分、が表示されていることを判定する。ブロック９０４において、図６のブロック６０４に関して説明したのと同様に、装置は少なくとも１つのキャラクタアイデンティティを判別する。ブロック９０６において、図６のブロック６０６に関して説明したのと同様に、装置は当該セクションによって示されている少なくとも１つの場所アイデンティティを判別する。
【０１４７】
ブロック９０８において、装置は、場所アイデンティティに、少なくとも部分的に、基づき、地図を地図サービスから取得する。ブロック９１０において、装置は、場所アイデンティティの少なくとも１つの視覚表現が、地図の少なくとも一部分に関連して、キャラクタアイデンティティと場所アイデンティティとの間の関係を示すキャラクタアイデンティティの視覚表現を含むように、当該場所アイデンティティの少なくとも１つの視覚表現を決定する。この決定、場所アイデンティティの視覚表現、キャラクタアイデンティティの視覚表現、および関係は、図５Ａ〜５Ｃに関して説明したもの、および／またはそれに類するもの、と同様であり得る。
【０１４８】
図１０は、少なくとも１つの例示的実施形態による場所アイデンティティおよびキャラクタアイデンティティの視覚表現の決定に対応付けられたアクティビティを示す流れ図である。少なくとも１つの例示的実施形態において、図１０のアクティビティに対応する一組の動作が存在する。装置、例えば図１の電子装置１０、またはその一部分、は、この一組の動作を利用し得る。装置は、このような動作を実行するための手段、例えば図１のプロセッサ１１など、を備え得る。一例示的実施形態において、装置、例えば図１の電子装置１０、は、プロセッサ、例えば図１のプロセッサ１１、と協働して、図１０の一組の動作をこの装置に行わせるように構成されたコンピュータコードを備えたメモリ、例えば図１のメモリ１２、を設けることによって改造される。
【０１４９】
状況によっては、装置は、場所アイデンティティの視覚表現のために利用する地図を取得することが望ましい場合もある。例えば、場所アイデンティティに対応する地図が装置にない場合もあり得るので、装置はドキュメントによって地図を取得できると有利であり得る。状況によっては、ドキュメントは、地図を示す情報を含み得る。例えば、ドキュメントは、地図を含むメタデータを含み得る、および／または地図を含む画像を含み得る、および／または地図をそこから受信し得るソースを識別するメタデータを含み得る、および／またはそれに類し得る。
【０１５０】
少なくとも１つの例示的実施形態において、装置は、地図を示す情報をドキュメントから抽出することによって、地図を取得する。例えば、場所アイデンティティは、架空の場所に関係し得るので、地図の取得は、ドキュメントからの地図の抽出を含み得る。少なくとも１つの例示的実施形態において、ドキュメントは、地図を示す情報を含むメタデータを含むので、ドキュメントからの地図の抽出は、ドキュメントからメタデータをコピーすることを含む。状況によっては、メタデータは、装置に地図を受信させるための情報を含み得る。例えば、メタデータは、地図をそこから受信し得る場所を識別するユニフォームリソースロケータを含み得る。
【０１５１】
ブロック１００２において、図６のブロック６０２に関して説明したのと同様に、装置はドキュメントのセクションのコンテンツ、の少なくとも一部分、が表示されていることを判定する。ブロック１００４において、図６のブロック６０４に関して説明したのと同様に、装置は少なくとも１つのキャラクタアイデンティティを判別する。ブロック１００６において、図６のブロック６０６に関して説明したのと同様に、装置は当該セクションによって示されている少なくとも１つの場所アイデンティティを判別する。
【０１５２】
ブロック１００８において、装置は、当該少なくとも１つの場所アイデンティティに、少なくとも部分的に、基づき、ドキュメントから地図を抽出する。例えば、ドキュメントからの地図の抽出は、ドキュメントからメタデータをコピーすることを含み得る。例えば、装置は、ユニフォームリソースロケータをドキュメントからコピーし得る、および／または地図を示す情報をドキュメントからコピーし得る、および／またはそれに類することを行い得る。ブロック１０１０において、装置は、場所アイデンティティの少なくとも１つの視覚表現が、地図の少なくとも一部分に関連して、キャラクタアイデンティティと場所アイデンティティとの間の関係を示すキャラクタアイデンティティの視覚表現を含むように、当該場所アイデンティティの少なくとも１つの視覚表現を決定する。この決定、場所アイデンティティの視覚表現、キャラクタアイデンティティの視覚表現、および関係は、図５Ａ〜５Ｃに関して説明したもの、および／またはそれに類するもの、と同様であり得る。
【０１５３】
図１１は、少なくとも１つの例示的実施形態による場所アイデンティティおよびキャラクタアイデンティティの視覚表現の決定に対応付けられたアクティビティを示す流れ図である。少なくとも１つの例示的実施形態において、図１１のアクティビティに対応する一組の動作が存在する。装置、例えば図１の電子装置１０、またはその一部分、は、この一組の動作を利用し得る。装置は、このような動作を実行するための手段、例えば図１のプロセッサ１１など、を備え得る。一例示的実施形態において、装置、例えば図１の電子装置１０、は、プロセッサ、例えば図１のプロセッサ１１、と協働して、図１１の一組の動作をこの装置に行わせるように構成されたコンピュータコードを備えたメモリ、例えば図１のメモリ１２、を設けることによって改造される。
【０１５４】
状況によっては、装置は、場所アイデンティティの視覚表現のために利用するシーンの画像を取得することが望ましい場合もある。例えば、場所アイデンティティに対応するシーンの画像が装置にない場合もあり得るので、装置はこのような画像を別個のソースから取得できると有利であり得る。
【０１５５】
少なくとも１つの例示的実施形態において、装置は、場所アイデンティティに、少なくとも部分的に、基づき、画像を取得する。例えば、場所アイデンティティは非架空の場所に関係し得る。このような例において、シーンの画像の取得は、当該画像を含むウェブサイトからの当該画像の取得を含む。装置は、場所アイデンティティを特定する検索クエリを行い、この検索クエリの結果に、少なくとも部分的に、に基づき、画像を選択し得る。このように、装置は、場所アイデンティティに、少なくとも部分的に、基づき、画像を取得し得る。このような例において、装置は、場所アイデンティティを特定する検索クエリをサーチエンジンに送信することによって、ウェブサイトサービスからの画像の取得を行い得る。
【０１５６】
ブロック１１０２において、図６のブロック６０２に関して説明したのと同様に、装置はドキュメントのセクションのコンテンツ、の少なくとも一部分、が表示されていることを判定する。ブロック１１０４において、図６のブロック６０４に関して説明したのと同様に、装置は少なくとも１つのキャラクタアイデンティティを判別する。ブロック１１０６において、図６のブロック６０６に関して説明したのと同様に、装置は当該セクションによって示されている少なくとも１つの場所アイデンティティを判別する。
【０１５７】
ブロック１１０８において、装置は、場所アイデンティティに、少なくとも部分的に、基づき、シーンの画像を地図サービスから取得する。ブロック１１１０において、装置は、場所アイデンティティの少なくとも１つの視覚表現が、画像の少なくとも一部分に関連して、キャラクタアイデンティティと場所アイデンティティとの間の関係を示すキャラクタアイデンティティの視覚表現を含むように、当該場所アイデンティティの少なくとも１つの視覚表現を決定する。この決定、場所アイデンティティの視覚表現、キャラクタアイデンティティの視覚表現、および関係は、図５Ａ〜５Ｃに関して説明したもの、および／またはそれに類するもの、と同様であり得る。
【０１５８】
図１２は、少なくとも１つの例示的実施形態による場所アイデンティティおよびキャラクタアイデンティティの視覚表現の決定に対応付けられたアクティビティを示す流れ図である。少なくとも１つの例示的実施形態において、図１２のアクティビティに対応する一組の動作が存在する。装置、例えば図１の電子装置１０、またはその一部分、は、この一組の動作を利用し得る。装置は、このような動作を実行するための手段、例えば図１のプロセッサ１１など、を備え得る。一例示的実施形態において、装置、例えば図１の電子装置１０、は、プロセッサ、例えば図１のプロセッサ１１、と協働して、図１２の一組の動作をこの装置に行わせるように構成されたコンピュータコードを備えたメモリ、例えば図１のメモリ１２、を設けることによって改造される。
【０１５９】
状況によっては、図５Ｃに関して説明したのと同様に、および／またはそれに類するように、場所アイデンティティの視覚表現が複数のキャラクタアイデンティティの視覚表現を含むことが望ましい場合もある。
【０１６０】
ブロック１２０２において、図６のブロック６０２に関して説明したのと同様に、装置はドキュメントのセクションのコンテンツ、の少なくとも一部分、が表示されていることを判定する。ブロック１２０４において、図６のブロック６０４に関して説明したのと同様に、装置は少なくとも１つのキャラクタアイデンティティを判別する。ブロック１２０６において、図６のブロック６０６に関して説明したのと同様に、装置は当該セクションによって示されている少なくとも１つの場所アイデンティティを判別する。
【０１６１】
ブロック１２０８において、装置は少なくとも１つの他のキャラクタアイデンティティを判別する。この判別および少なくとも１つの他のキャラクタアイデンティティは、図４Ａ〜４Ｂに関して説明したのと同様であり得る、および／またはそれに類し得る。少なくとも１つの例示的実施形態において、少なくとも１つの他のキャラクタアイデンティティは、当該セクションのコンテンツに関連がある。例えば、装置は、少なくとも１つの他のキャラクタアイデンティティの判別を、この少なくとも１つの他のキャラクタアイデンティティがドキュメントの当該セクションに含まれているとの判定に、少なくとも部分的に、基づかせ得る。
【０１６２】
ブロック１２１０において、装置は、当該セクションによって示されている少なくとも１つの他の場所アイデンティティを判別する。この判別および少なくとも１つの他の場所アイデンティティは、図４Ａ〜４Ｂに関して説明したのと同様であり得る、および／またはそれに類し得る。少なくとも１つの例示的実施形態において、少なくとも１つの他の場所アイデンティティは、この少なくとも１つの他のキャラクタアイデンティティによって示されているキャラクタの場所を示す。少なくとも１つの例示的実施形態において、装置は、セクションのコンテンツによって示されている少なくとも１つの他の場所アイデンティティを判別する。
【０１６３】
ブロック１２１２において、装置は、場所アイデンティティの少なくとも１つの視覚表現がキャラクタアイデンティティと場所アイデンティティとの間の関係を示すキャラクタアイデンティティの視覚表現を含むように、当該場所アイデンティティの当該少なくとも１つの視覚表現を決定し、更には少なくとも１つの他の場所アイデンティティの視覚表現が少なくとも１つの他のキャラクタアイデンティティと少なくとも１つの他の場所アイデンティティとの間の関係を示す少なくとも１つの他のキャラクタアイデンティティの視覚表現を含むように当該他の場所アイデンティティの少なくとも１つの視覚表現を決定する。この決定、場所アイデンティティの視覚表現、キャラクタアイデンティティの視覚表現、少なくとも１つの他の場所アイデンティティの視覚表現、少なくとも１つの他のキャラクタアイデンティティの視覚表現、および関係は、図５Ａ〜５Ｃに関して説明したのと同様であり得る、および／またはそれに類し得る。
【０１６４】
図１３は、少なくとも１つの例示的実施形態による場所アイデンティティおよびキャラクタアイデンティティの視覚表現の決定に対応付けられたアクティビティを示す流れ図である。少なくとも１つの例示的実施形態において、図１３のアクティビティに対応する一組の動作が存在する。装置、例えば図１の電子装置１０、またはその一部分、は、この一組の動作を利用し得る。装置は、このような動作を実行するための手段、例えば図１のプロセッサ１１など、を備え得る。一例示的実施形態において、装置、例えば図１の電子装置１０、は、プロセッサ、例えば図１のプロセッサ１１、と協働して、図１３の一組の動作をこの装置に行わせるように構成されたコンピュータコードを備えたメモリ、例えば図１のメモリ１２、を設けることによって改造される。
【０１６５】
状況によっては、表示されているドキュメントのコンテンツをユーザが切り替えるに伴い、場所アイデンティティの視覚表現を切り替えることが望ましい場合もある。例えば、ユーザがドキュメントを閲覧するに伴い、場所アイデンティティの切り替え、および／またはキャラクタアイデンティティの切り替え、および／またはそれに類すること、を示すために、場所アイデンティティの視覚表現が更新されることが望ましい場合もある。例えば、ユーザが閲覧モードで書籍のセクションを行き来するとき、ユーザはドキュメントのコンテンツを理解したいと思うこともあり得る。このような例において、ユーザは、場所アイデンティティの視覚表現の切り替えに、少なくとも部分的に、基づき、ドキュメントのコンテンツの出現を知覚し得る。例えば、ユーザは、キャラクタアイデンティティの追加、キャラクタアイデンティティの除去、キャラクタアイデンティティの移動、および／またはそれに類することを知覚し得る。同様に、ユーザが、例えば、一連のキーフレームを描写するユーザインタフェースを用いて、映画を含むビデオファイルを閲覧しているとき、ディスプレイの別の部分が場所アイデンティティの視覚表現を描写すると好都合であり得る。
【０１６６】
ブロック１３０２において、図６のブロック６０２に関して説明したのと同様に、装置はドキュメントのセクションのコンテンツ、の少なくとも一部分、が表示されていることを判定する。ブロック１３０４において、図６のブロック６０４に関して説明したのと同様に、装置は少なくとも１つのキャラクタアイデンティティを判別する。ブロック１３０６において、図６のブロック６０６に関して説明したのと同様に、装置は当該セクションによって示されている少なくとも１つの場所アイデンティティを判別する。ブロック１３０８において、図６のブロック６０８に関して説明したのと同様に、装置は場所アイデンティティの少なくとも１つの視覚表現がキャラクタアイデンティティと場所アイデンティティとの間の関係を示すキャラクタアイデンティティの視覚表現を含むように、当該場所アイデンティティの少なくとも１つの視覚表現を決定する。
【０１６７】
ブロック１３１０において、装置は、ドキュメントのセクションの異なるコンテンツ、の少なくとも一部分、が表示されていることを判定する。この判定、コンテンツ、および異なるセクションは、図３Ａ〜３Ｂに関して説明したのと同様であり得る、および／またはそれに類し得る。
【０１６８】
ブロック１３１２において、装置は、少なくとも１つの他のキャラクタアイデンティティを判別する。この判別および少なくとも１つの他のキャラクタアイデンティティは、図４Ａ〜４Ｂに関して説明したのと同様であり得る、および／またはそれに類し得る。少なくとも１つの例示的実施形態において、当該少なくとも１つの他のキャラクタアイデンティティは、異なるセクションのコンテンツに関連する。例えば、装置は、当該少なくとも１つの他のキャラクタアイデンティティの判別を、当該少なくとも１つの他のキャラクタアイデンティティが当該ドキュメントの異なるセクションに含まれているとの判定に、少なくとも部分的に、基づかせ得る。
【０１６９】
ブロック１３１４において、装置は、当該異なるセクションによって示されている少なくとも１つの他の場所アイデンティティを判別する。この判別および少なくとも１つの他の場所アイデンティティは、図４Ａ〜４Ｂに関して説明したのと同様であり得る、および／またはそれに類し得る。少なくとも１つの例示的実施形態において、少なくとも１つの他の場所アイデンティティは、少なくとも１つの他のキャラクタアイデンティティによって示されているキャラクタの場所を示す。少なくとも１つの例示的実施形態において、装置は、当該セクションの当該異なるコンテンツによって示されている少なくとも１つの他の場所アイデンティティを判別する。
【０１７０】
ブロック１３１６において、装置は、他の場所アイデンティティの少なくとも１つの視覚表現が他のキャラクタアイデンティティと他の場所アイデンティティとの間の関係を示す他のキャラクタアイデンティティの視覚表現を含むように、当該他の場所アイデンティティの少なくとも１つの視覚表現を決定する。この決定、他の場所アイデンティティの視覚表現、他のキャラクタアイデンティティの視覚表現、および関係は、図５Ａ〜５Ｃに関して説明したのと同様であり得る、および／またはそれに類し得る。
【０１７１】
図１４は、少なくとも１つの例示的実施形態による場所アイデンティティおよびキャラクタアイデンティティの視覚表現の決定に対応付けられたアクティビティを示す流れ図である。少なくとも１つの例示的実施形態において、図１４のアクティビティに対応する一組の動作が存在する。装置、例えば図１の電子装置１０、またはその一部分、は、この一組の動作を利用し得る。本装置は、このような動作を実行するための手段、例えば図１のプロセッサ１１など、を備え得る。一例示的実施形態において、装置、例えば図１の電子装置１０、は、プロセッサ、例えば図１のプロセッサ１１、と協働して、図１４の一組の動作をこの装置に行わせるように構成されたコンピュータコードを備えたメモリ、例えば図１のメモリ１２、を設けることによって改造される。
【０１７２】
状況によっては、ドキュメントは、ロゴ、社名、製品名、および／またはそれに類するものなどの商業ラベルを示す情報を含み得る。このような例において、この商業ラベルに対応付けられた広告を提供することが望ましい場合もある。例えば、広告は、場所アイデンティティの視覚表現に含まれ得る、および／または場所アイデンティティの何れかの視覚表現とは別個に提供され得る、および／またはそれに類し得る。このような例において、出版者、ドキュメントの読者、装置ベンダ、および／またはそれに類するもの、は広告の実施に対応付けられた収益を受け得る。これにより、このような広告は、装置に対応付けられた１つ以上の関係者のための収益の流れの実現を可能にし得る。
【０１７３】
少なくとも１つの例示的実施形態において、装置は、表示されているドキュメントのセクションのコンテンツに少なくとも１つの商業ラベルが関連するように、少なくとも１つの商業ラベルを判別する。例えば、商業ラベルは、製品名、社名、商標、スローガン、および／またはそれに類するものに関係し得る。少なくとも１つの例示的実施形態において、商業ラベルの判別は、この商業ラベルに対応するメタデータの識別を含む。例えば、ドキュメントは、商業ラベルを示す情報を含むメタデータを含み得る。少なくとも１つの例示的実施形態において、商業ラベルの判別は、この商業ラベルを識別する当該セクションの非メタデータコンテンツの識別を含む。このような例において、非メタデータコンテンツは、商業ラベルを識別する非メタデータテキスト情報に関係する。
【０１７４】
少なくとも１つの例示的実施形態において、装置は、商業ラベルに対応付けられた視覚広告を判別する。装置は、この視覚広告をドキュメントから抽出し得る、および／または商業ラベルに基づきこの視覚広告を検索し得る、および／またはそれに類することを行い得る。少なくとも１つの例示的実施形態において、装置は、上述のように、視覚広告の表示を場所アイデンティティの視覚表現に関連付けて引き起こす。
【０１７５】
ブロック１４０２において、図６のブロック６０２に関して説明したのと同様に、装置はドキュメントのセクションのコンテンツ、の少なくとも一部分、が表示されていることを判定する。ブロック１４０４において、図６のブロック６０４に関して説明したのと同様に、装置は少なくとも１つのキャラクタアイデンティティを判別する。ブロック１４０６において、図６のブロック６０６に関して説明したのと同様に、装置は当該セクションによって示されている少なくとも１つの場所アイデンティティを判別する。ブロック１４０８において、図６のブロック６０８に関して説明したのと同様に、装置は場所アイデンティティの少なくとも１つの視覚表現がキャラクタアイデンティティと場所アイデンティティとの間の関係を示すキャラクタアイデンティティの視覚表現を含むように、当該場所アイデンティティの少なくとも１つの視覚表現を決定する。
【０１７６】
ブロック１４１０において、装置は少なくとも１つの商業ラベルを判別する。少なくとも１つの例示的実施形態において、この商業ラベルは、セクションのコンテンツに関連する。例えば、装置は、商業ラベルの判別をこの商業ラベルがドキュメントの当該セクションに含まれているとの判定に、少なくとも部分的に、基づかせ得る。
【０１７７】
ブロック１４１２において、装置は、当該商業ラベルに対応付けられた視覚広告を判別する。装置は、この視覚広告の表示を更に引き起こし得る。
【０１７８】
本発明の複数の実施形態は、ソフトウェア、ハードウェア、アプリケーションロジック、またはソフトウェアとハードウェアとアプリケーションロジックとの組み合わせで具現化され得る。ソフトウェア、アプリケーションロジック、および／またはハードウェアは、装置、別個のデバイス、または複数の個別デバイスに常駐し得る。望ましければ、ソフトウェア、アプリケーションロジック、および／またはハードウェアの一部分は、装置に常駐し得る、およびソフトウェア、アプリケーションロジック、および／またはハードウェアの一部分は、別個のデバイスに常駐し得る、およびソフトウェア、アプリケーションロジック、および／またはハードウェアの一部分は複数の個別デバイスに常駐し得る。一例示的実施形態において、アプリケーションロジック、ソフトウェア、または命令セットは、従来のさまざまなコンピュータ可読媒体のうちの何れか１つに保持される。
【０１７９】
望ましければ、本願明細書に記載のさまざまな機能は、異なる順番で、および／または互いに同時に、実行され得る。例えば、図１４のブロック１４０４は、ブロック１４１０の後に実施され得る。更に、望ましければ、上記機能のうちの１つ以上は、任意使用であり得る、または組み合わせられ得る。例えば、図１４のブロック１４１２は、任意使用であり得る、および／または図１４のブロック１４１０と組み合わされ得る。
【０１８０】
本発明のさまざまな態様が独立請求項に記載されているが、本発明の他の態様は、特許請求の範囲に明示的に記載されている組み合わせだけではなく、上記の各実施形態および／または従属請求項の特徴と独立請求項の特徴との他の複数の組み合わせを含む。
【０１８１】
本願明細書において、上記は本発明の複数の例示的実施形態を説明しているが、これら説明は限定の意味で見られるべきではないことにも留意されたい。むしろ、添付の特許請求の範囲に規定されている本発明の範囲から逸脱することなく行われ得る変形例および改造例が存在する。
【図１】
2016536660.tif 000003
【図２】
2016536660.tif 000004
【図３】
2016536660.tif 000005
【図４】
2016536660.tif 000006
【図５】
2016536660.tif 000007
【図６】
2016536660.tif 000008
【図７】
2016536660.tif 000009
【図８】
2016536660.tif 000010
【図９】
2016536660.tif 000011
【図１０】
2016536660.tif 000012
【図１１】
2016536660.tif 000013
【図１２】
2016536660.tif 000014
【図１３】
2016536660.tif 000015
【図１４】
2016536660.tif 000016
【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
ドキュメントのセクションのコンテンツ、の少なくとも一部分、が表示されていることを判定することと、
前記セクションのコンテンツに関連する少なくとも１つのキャラクタアイデンティティを判別することと、
前記セクションによって示されている少なくとも１つの場所アイデンティティであって、前記キャラクタアイデンティティによって示されているキャラクタの場所を示す場所アイデンティティを判別することと、
前記場所アイデンティティの少なくとも１つの視覚表現が前記キャラクタアイデンティティと前記場所アイデンティティとの間の関係を示す前記キャラクタアイデンティティの視覚表現を含むように、前記場所アイデンティティの少なくとも１つの前記視覚表現を決定することと、
を含む方法。
【請求項２】
前記場所アイデンティティの前記視覚表現の表示を引き起こすことと、
ドキュメント閲覧入力を示す情報を受信することと、を更に含み、前記場所アイデンティティの前記視覚表現の表示を前記引き起こすことは、前記ドキュメント閲覧入力に、少なくとも部分的に、基づく、請求項１に記載の方法。
【請求項３】
前記セクションのコンテンツに関連する少なくとも１つの他のキャラクタアイデンティティであって、前記キャラクタアイデンティティとは異なるキャラクタアイデンティティを判別することと、
前記セクションによって示されている少なくとも１つの他の場所アイデンティティであって、前記キャラクタアイデンティティによって示されているキャラクタの場所を示す場所アイデンティティを判別することと、
を更に含み、前記他の場所アイデンティティの視覚表現が前記他のキャラクタアイデンティティと前記他の場所アイデンティティとの間の関係を示す前記他のキャラクタアイデンティティの視覚表現を含むように、前記場所アイデンティティの前記視覚表現は前記他の場所アイデンティティの前記視覚表現を含む、請求項１に記載の方法。
【請求項４】
前記ドキュメントの異なるセクション、の少なくとも一部分、が表示されていることを判定することと、
前記異なるセクションのコンテンツに関連する少なくとも１つの他のキャラクタアイデンティティを判別することと、
前記異なるセクションによって示されている少なくとも１つの他の場所アイデンティティであって、前記他のキャラクタアイデンティティによって示されているキャラクタの場所を示す場所アイデンティティを判別することと、
前記他の場所アイデンティティの少なくとも１つの視覚表現が前記他のキャラクタアイデンティティと前記他の場所アイデンティティとの間の関係を示す前記他のキャラクタアイデンティティの視覚表現を含むように、前記他の場所アイデンティティの少なくとも１つの前記視覚表現を決定することと、
を更に含む、請求項１に記載の方法。
【請求項５】
前記場所アイデンティティに、少なくとも部分的に、基づき、地図を取得することを更に含み、前記場所アイデンティティは前記地図上の場所に関係し、前記場所アイデンティティの前記視覚表現は前記地図に関係する、請求項１に記載の方法
【請求項６】
前記場所アイデンティティに、少なくとも部分的に、基づき、地図を取得することを更に含み、前記場所アイデンティティは架空の場所に関し、前記地図の取得は、前記ドキュメントからの前記地図の抽出を含む、請求項１に記載の方法。
【請求項７】
前記場所アイデンティティに、少なくとも部分的に、基づき、シーンの画像を取得することを更に含み、前記場所アイデンティティの前記視覚表現は前記画像に関係する、請求項１に記載の方法。
【請求項８】
前記セクションのコンテンツに関連する少なくとも１つの商業ラベルを判別することと、
前記商業ラベルに対応付けられた視覚広告を判別することと、
を更に含む、請求項１に記載の方法。
【請求項９】
処理手段及び記憶手段を備える装置であって、前記記憶手段はプログラム命令を格納し、該プログラム命令は、前記処理手段に実行されると、前記装置に、請求項1から８のいずれかに記載の方法を遂行させるように構成される、装置。
【請求項１０】
装置の処理手段に実行されると、前記装置に、請求項1から8のいずれかに記載の方法を遂行させるように構成されるプログラム命令を備える、コンピュータプログラム。
【請求項１１】
ドキュメントのセクションのコンテンツ、の少なくとも一部分、が表示されていることを判定する手段と、
前記セクションのコンテンツに関連する少なくとも１つのキャラクタアイデンティティを判別する手段と、
前記セクションによって示されている少なくとも１つの場所アイデンティティであって、前記キャラクタアイデンティティによって示されているキャラクタの場所を示す場所アイデンティティを判別する手段と、
前記場所アイデンティティの少なくとも１つの視覚表現が前記キャラクタアイデンティティと前記場所アイデンティティとの間の関係を示す前記キャラクタアイデンティティの視覚表現を含むように、前記場所アイデンティティの少なくとも１つの前記視覚表現を決定する手段と、
を備える、装置。
【請求項１２】
前記場所アイデンティティの前記視覚表現の表示を引き起こす手段と、
ドキュメント閲覧入力を示す情報を受信する手段と、
を更に備え、前記場所アイデンティティの前記視覚表現の表示は、前記ドキュメント閲覧入力に、少なくとも部分的に、基づく、請求項１１に記載の装置。
【請求項１３】
前記セクションのコンテンツに関連する少なくとも１つの他のキャラクタアイデンティティであって、前記キャラクタアイデンティティとは異なるキャラクタアイデンティティを判別する手段と、
前記セクションによって示されている少なくとも１つの他の場所アイデンティティであって、前記キャラクタアイデンティティによって示されているキャラクタの場所を示す場所アイデンティティを判別する手段と、
を更に備え、前記他の場所アイデンティティの視覚表現が前記他のキャラクタアイデンティティと前記他の場所アイデンティティとの間の関係を示す前記他のキャラクタアイデンティティの視覚表現を含むように、前記場所アイデンティティの前記視覚表現は前記他の場所アイデンティティの前記視覚表現を含む、請求項１１に記載の装置。
【請求項１４】
前記ドキュメントの異なるセクション、の少なくとも一部分、が表示されていることを判定する手段と、
前記異なるセクションのコンテンツに関連する少なくとも１つの他のキャラクタアイデンティティを判別する手段と、
前記異なるセクションによって示されている少なくとも１つの他の場所アイデンティティであって、前記他のキャラクタアイデンティティによって示されているキャラクタの場所を示す他の場所アイデンティティを判別する手段と、
前記他の場所アイデンティティの少なくとも１つの視覚表現が前記他のキャラクタアイデンティティと前記他の場所アイデンティティとの間の関係を示す前記他のキャラクタアイデンティティの視覚表現を含むように、前記他の場所アイデンティティの前記視覚表現を決定する手段と、
を更に備える、請求項１１に記載の装置。
【国際調査報告】
2016536660.tif 000017
2016536660.tif 000018